(57)【要約】  本開示は、ＩｏＴ(Ｉｎｔｅｒｎｅｔ ｏｆ Ｔｈｉｎｇｓ)技術を用いて４世代(４Ｇ)システムよりも高いデータ速度をサポートする５世代(５Ｇ)通信システムを融合する通信方法及びシステムに関する。本開示は、スマートホーム、スマートビルディング、スマートシティ、スマートカー、コネクテッドカー、ヘルスケア、デジタル教育、スマート小売り、保安及び安全サービスのような５Ｇ通信技術及びＩｏＴ関連技術に基づいた知能型サービスに適用されることができる。ダウンリンク(ＤＬ)及びアップリンク(ＵＬ)基準信号(ＲＳ)を有するチャンネル状態情報(ＣＳＩ)獲得のための方法及び装置が提供される。ＵＥ装置は送受信機及び送受信機に動作可能に接続されたプロセッサを含む。送受信機は(ｉ)チャンネル状態情報基準信号(ＣＳＩ−ＲＳ)及びサウンディング基準信号(ＳＲＳ)に対する設定情報及び(ｉｉ)非周期的ＳＲＳ送信リクエストのためのＤＣＩフィールドを含むダウンリンク制御情報(ＤＣＩ)を受信するように構成される。プロセッサは非周期的ＳＲＳ送信リクエストで設定情報及びＤＣＩをデコーディングするように構成される。送受信機はＣＳＩ−ＲＳを受信し、ＳＲＳを送信するようにさらに構成される。ＳＲＳは上位階層設定されたＳＲＳリソースに相応し、複数の設定されたＳＲＳリソースは一つ以上である。
2020516186.tif 000002
【特許請求の範囲】
【請求項１】
ユーザ装置(ＵＥ)であって、
(ｉ)チャンネル状態情報基準信号(ＣＳＩ−ＲＳ)及びサウンディング基準信号(ＳＲＳ)に対する設定情報及び(ｉｉ)非周期的ＳＲＳ送信リクエストのためのＤＣＩフィールドを含むダウンリンク制御情報(ＤＣＩ)を受信するように構成された送受信機と、
前記送受信機に動作可能に接続されたプロセッサであって、前記非周期的ＳＲＳ送信リクエストで前記設定情報及び前記ＤＣＩをデコーディングするように構成されたプロセッサと、を含み、
前記送受信機は、前記ＣＳＩ−ＲＳを受信し、前記ＳＲＳを送信するようにさらに構成され、
前記ＳＲＳは、上位階層設定されたＳＲＳリソースに相応し、複数の設定されたＳＲＳリソースは一つ以上である、ユーザ装置(ＵＥ)。
【請求項２】
前記ＣＳＩ−ＲＳは、前記ＤＣＩと同一なダウンリンクスロットで受信される、請求項１に記載のユーザ装置(ＵＥ)。
【請求項３】
前記ＣＳＩ−ＲＳは、上位階層設定された非ゼロパワー(ＮＺＰ)ＣＳＩ−ＲＳリソースに相応する、請求項１に記載のユーザ装置(ＵＥ)。
【請求項４】
前記ＤＣＩフィールドは、前記設定されたＳＲＳリソースに関連した非周期的ＳＲＳトリガリング状態を含む、請求項３に記載のユーザ装置(ＵＥ)。
【請求項５】
前記ＮＺＰ ＣＳＩ−ＲＳリソースは、前記送信されたＳＲＳに用いられるプリコーダを計算するように測定され、
複数の設定されたＮＺＰ ＣＳＩ−ＲＳリソースは一つ以上であり、前記非周期的ＳＲＳトリガリング状態と前記設定されたＳＲＳリソースの間の関連付けは、前記設定されたＮＺＰ ＣＳＩ−ＲＳリソースとの関連付けをさらに含む、請求項４に記載のユーザ装置(ＵＥ)。
【請求項６】
基地局(ＢＳ)であって、
(ｉ)チャンネル状態情報基準信号(ＣＳＩ−ＲＳ)及びサウンディング基準信号(ＳＲＳ)に対する設定情報及び(ｉｉ)非周期的ＳＲＳ送信リクエストのためのＤＣＩフィールドを含むダウンリンク制御情報(ＤＣＩ)を生成するように構成されたプロセッサと、
前記プロセッサに動作可能に接続された送受信機と、を含み、
前記送受信機は、
ダウンリンク(ＤＬ)チャンネル及び前記ＣＳＩ−ＲＳを介して前記設定情報及び前記ＤＣＩをＵＥに送信し、
前記ＵＥから前記リクエストされた非周期的ＳＲＳを受信するように構成され、
前記ＳＲＳは、上位階層設定されたＳＲＳリソースに相応し、複数の設定されたＳＲＳリソースは一つ以上である、基地局(ＢＳ)。
【請求項７】
前記ＣＳＩ−ＲＳは、前記ＤＣＩと同一なダウンリンクスロットで送信される、請求項６に記載の基地局(ＢＳ)。
【請求項８】
前記ＣＳＩ−ＲＳは、上位階層設定された非ゼロパワー(ＮＺＰ)ＣＳＩ−ＲＳリソースに相応する、請求項６に記載の基地局(ＢＳ)。
【請求項９】
前記ＤＣＩフィールドは、前記設定されたＳＲＳリソースに関連した非周期的ＳＲＳトリガリング状態を含み、
前記ＮＺＰ ＣＳＩ−ＲＳリソースは、前記送信されたＳＲＳに用いられるプリコーダを計算し、
前記非周期的ＳＲＳトリガリング状態と前記設定されたＳＲＳリソースの間の関連付けは、前記設定されたＮＺＰ ＣＳＩ−ＲＳリソースとの関連付けをさらに含む、請求項８に記載の基地局(ＢＳ)。
【請求項１０】
ユーザ装置(ＵＥ)を動作させる方法であって、
(ｉ)チャンネル状態情報基準信号(ＣＳＩ−ＲＳ)及びサウンディング基準信号(ＳＲＳ)に対する設定情報及び(ｉｉ)非周期的ＳＲＳ送信をリクエストするためのＤＣＩフィールドを含むダウンリンク制御情報(ＤＣＩ)を受信及びデコーディングする段階と、
前記ＣＳＩ−ＲＳを受信して前記ＳＲＳを送信する段階と、を含み、
前記ＳＲＳは、上位階層設定されたＳＲＳリソースに相応し、複数の設定されたＳＲＳリソースは一つ以上である、ユーザ装置(ＵＥ)を動作させる方法。
【請求項１１】
前記ＣＳＩ−ＲＳは、前記ＤＣＩと同一なダウンリンクスロットで受信される、請求項１０に記載のユーザ装置(ＵＥ)を動作させる方法。
【請求項１２】
前記ＣＳＩ−ＲＳは、上位階層設定された非ゼロパワー(ＮＺＰ)ＣＳＩ−ＲＳリソースに相応する、請求項１０に記載のユーザ装置(ＵＥ)を動作させる方法。
【請求項１３】
前記ＤＣＩフィールドは、前記設定されたＳＲＳリソースに関連した非周期的ＳＲＳトリガリング状態を含む、請求項１２に記載のユーザ装置(ＵＥ)を動作させる方法。
【請求項１４】
前記ＮＺＰ ＣＳＩ−ＲＳリソースは、前記送信されたＳＲＳに用いられるプリコーダを計算するように測定される、請求項１３に記載のユーザ装置(ＵＥ)を動作させる方法。
【請求項１５】
複数の設定されたＮＺＰ ＣＳＩ−ＲＳリソースは一つ以上であり、前記非周期的ＳＲＳトリガリング状態と前記設定されたＳＲＳリソースの間の関連付けは、前記設定されたＮＺＰ ＣＳＩ−ＲＳリソースとの関連付けをさらに含む、請求項１４に記載のユーザ装置(ＵＥ)を動作させる方法。
【発明の詳細な説明】
【技術分野】
【０００１】
本開示は、一般的にダウンリンク(ＤＬ)及びアップリンク(ＵＬ)基準信号(ｒｅｆｅｒｅｎｃｅ ｓｉｇｎａｌ、ＲＳ)の同時使用ができるようにする方法に関し、特にＤＬ及びＵＬ信号を用いたＣＳＩ獲得に関する。
【背景技術】
【０００２】
４Ｇ通信システムの配置(ｄｅｐｌｏｙｍｅｎｔ)以後に増加した無線データトラフィック(ｗｉｒｅｌｅｓｓ ｄａｔａ ｔｒａｆｆｉｃ)に対するニーズを満たすため、改善された５Ｇ又はｐｒｅ−５Ｇ通信システムを開発するための努力が行われた。したがって、５Ｇ又はｐｒｅ−５Ｇ通信システムは‘Ｂｅｙｏｎｄ ４Ｇ Ｎｅｔｗｏｒｋ’又は‘Ｐｏｓｔ ＬＴＥ’と呼ばれる。５Ｇ通信システムは高周波(ｍｍＷａｖｅ)帯域、例えば、６０ＧＨｚ帯域で具現されてより高いデータ速度を達成することで考慮される。無線波(ｒａｄｉｏ ｗａｖｅ)の電波損失を減少させて、送信距離を増加させるためにビームフォーミング(ｂｅａｍｆｏｒｍｉｎｇ)、大量ＭＩＭＯ(ｍａｓｓｉｖ ｍｕｌｔｉｐｌｅ−ｉｎｐｕｔ ｍｕｌｔｉｐｌｅ−ｏｕｔｐｕｔ)、ＦＤ−ＭＩＭＯ(Ｆｕｌｌ Ｄｉｍｅｎｓｉｏｎａｌ ＭＩＭＯ)、アレイアンテナ(ａｒｒａｙ ａｎｔｅｎｎａ)、アナログビームフォーミング(ａｎａｌｏｇ ｂｅａｍ−ｆｏｒｍｉｎｇ)、大規模アンテナ技術(ｌａｒｇｅ ｓｃａｌｅ ａｎｔｅｎｎａ)は５Ｇ通信システムで論議される。さらに、５Ｇ通信システムで進化された小型セル(ａｄｖａｎｃｅｄ ｓｍａｌｌ ｃｅｌｌ)、クラウドＲＡＮ(Ｒａｄｉｏ Ａｃｃｅｓｓ Ｎｅｔｗｏｒｋ)、超高密度ネットワーク(ｕｌｔｒａ−ｄｅｎｓｅ ｎｅｔｗｏｒｋ)、Ｄ２Ｄ(Ｄｅｖｉｃｅ ｔｏ Ｄｅｖｉｃｅ)通信、無線バックホール(ｗｉｒｅｌｅｓｓ ｂａｃｋｈａｕｌ)、移動ネットワーク(ｍｏｖｉｎｇ ｎｅｔｗｏｒｋ)、協調通信(ｃｏｏｐｅｒａｔｉｖｅ ｃｏｍｍｕｎｉｃａｔｉｏｎ)、ＣｏＭＰ(Ｃｏｏｒｄｉｎａｔｅｄ Ｍｕｌｔｉ−Ｐｏｉｎｔｓ)、受信端干渉除去(ｒｅｃｅｐｔｉｏｎ−ｅｎｄ ｉｎｔｅｒｆｅｒｅｎｃｅ ｃａｎｃｅｌｌａｔｉｏｎ)などに基づいてシステムネットワーク改善のための開発が進行されつつある。５Ｇシステムで、ＡＣＭ(Ａｄｖａｎｃｅｄ Ｃｏｄｉｎｇ Ｍｏｄｕｌａｔｉｏｎ)としてハイブリッドＦＱＡＭ(ＦＳＫ ａｎｄ ＱＡＭ Ｍｏｄｕｌａｔｉｏｎ)、進歩されたアクセス技術としてＦＢＭＣ(Ｆｉｌｔｅｒ ｂａｎｋ ｍｕｌｔｉ ｃａｒｒｉｅｒ)、ＮＯＭＡ(ｎｏｎ ｏｒｔｈｏｇｏｎａｌ ｍｕｌｔｉｐｌｅ ａｃｃｅｓｓ)及びＳＣＭＡ(ｓｐａｒｓｅ ｃｏｄｅ ｍｕｌｔｉｐｌｅ ａｃｃｅｓｓ)が開発された。
【０００３】
人間が情報を生成して消費する人間中心の接続ネットワークであるインターネットは、今や、物(ｔｈｉｎｇ)のような分散されたエンティティが人間の介入無しに情報を取り交わして処理するＩｏＴ(Ｉｎｔｅｒｎｅｔ ｏｆ Ｔｈｉｎｇｓ)へ進化しつつある。クラウドサーバーとの接続を通じるＩｏＴ技術とビックデータ(Ｂｉｇ ｄａｔａ)処理技術の組み合せであるＩｏＥ(Ｉｎｔｅｒｎｅｔ ｏｆ Ｅｖｅｒｙｔｈｉｎｇ)が登場した。“センシング技術”、“有無線通信及びネットワークインフラ構造(ｗｉｒｅｄ／ｗｉｒｅｌｅｓｓ ｃｏｍｍｕｎｉｃａｔｉｏｎ ａｎｄ ｎｅｔｗｏｒｋ ｉｎｆｒａｓｔｒｕｃｔｕｒｅ)”、“サービスインターフェース技術(ｓｅｒｖｉｃｅ ｉｎｔｅｒｆａｃｅ ｔｅｃｈｎｏｌｏｇｙ)”、及び“保安技術(Ｓｅｃｕｒｉｔｙ ｔｅｃｈｎｏｌｏｇｙ)”のような技術要素がＩｏＴ具現のために要求されることによって、センサーネットワーク(ｓｅｎｓｏｒ ｎｅｔｗｏｒｋ)、Ｍ２Ｍ(Ｍａｃｈｉｎｅ−ｔｏ−Ｍａｃｈｉｎｅ)通信、ＭＴＣ(Ｍａｃｈｉｎｅ Ｔｙｐｅ Ｃｏｍｍｕｎｉｃａｔｉｏｎ)などが最近に研究されてきた。このようなＩｏＴ環境は接続された物間に生成されたデータを収集して分析することによって人間の生活に新しい価値を創出する知能型インターネット技術サービス(ｉｎｔｅｌｌｉｇｅｎｔ Ｉｎｔｅｒｎｅｔ ｔｅｃｈｎｏｌｏｇｙ ｓｅｒｖｉｃｅｓ)を提供することができる。ＩｏＴは既存の情報技術(Ｉｎｆｏｒｍａｔｉｏｎ Ｔｅｃｈｎｏｌｏｇｙ；ＩＴ)と多様な産業用のアプリケーション間のコンバージェンス(ｃｏｎｖｅｒｇｅｎｃｅ )及び組み合せを介してスマートホーム、スマートビルディング、スマートシティ、スマートカー又はコネクテッドカー、スマートグリッド、ヘルスケア、スマート家電、進歩された医療サービスを含む多様な分野に適用されることができる。
【０００４】
これにより、５Ｇ通信システムをＩｏＴネットワークに適用するための多様な試みが成っている。例えば、センサーネットワーク、ＭＴＣ(Ｍａｃｈｉｎｅ Ｔｙｐｅ Ｃｏｍｍｕｎｉｃａｔｉｏｎ)及びＭ２Ｍ(Ｍａｃｈｉｎｅ ｔｏ Ｍａｃｈｉｎｅ)通信のような技術はビームフォーミング、ＭＩＭＯ及びアレイアンテナによって具現されることができる。前述したビックデータ処理技術としてのクラウドＲＡＮ(Ｒａｄｉｏ Ａｃｃｅｓｓ Ｎｅｔｗｏｒｋ)の適用はさらに５Ｇ技術とＩｏＴ技術の間のコンバージェンスの一例と言えるだろう。
【０００５】
無線通信は現代歴史上の最も成功的な革新中の一つであった。無線データトラフィック(ｗｉｒｅｌｅｓｓ ｄａｔａ ｔｒａｆｆｉｃ)の需要は、タブレット、“ノートパッド”コンピューター、ネッブック(ｎｅｔ ｂｏｏｋ)、ｅＢｏｏｋリーダー及び機械タイプのデバイスのような他のモバイルデータデバイス及びスマートフォンの消費者と企業の間で人気が高くなるにつれて急速に増加している。モバイルデータトラフィックの高い成長を満たし、新しいアプリケーション及び配置をサポートするため、無線インターフェース効率性及びカバレッジ(ｃｏｖｅｒａｇｅ)の改善が最も重要である。
【発明の概要】
【発明が解決しようとする課題】
【０００６】
モバイルデバイス又はユーザ装置はダウンリンクチャンネルの品質を測定し、このような品質を基地局に報告することによって、モバイルデバイスと通信するうちに多様なパラメーターが調整されなければならないかに関する決定を行うことができる。無線通信システムにおいて既存のチャンネル品質報告プロセス(ｃｈａｎｎｅｌ ｑｕａｌｉｔｙ ｒｅｐｏｒｔｉｎｇ ｐｒｏｃｅｓｓ)は大型２次元アレイ送信アンテナ又は一般的に複数のアンテナ要素を収容するアンテナアレイ構造に関連したチャンネル状態情報(ｃｈａｎｎｅｌ ｓｔａｔｅ ｉｎｆｏｒｍａｔｉｏｎ)の報告を充分に収容することができない。
【課題を解決するための手段】
【０００７】
一実施形態で、ＵＥが提供される。ＵＥは送受信機及び送受信機に動作可能に接続されたプロセッサを含む。送受信機は(ｉ)ＣＳＩ−ＲＳ及びサウンディング基準信号(ｓｏｕｎｄｉｎｇ ｒｅｆｅｒｅｎｃｅ ｓｉｇｎａｌ、ＳＲＳ)に対する設定情報(ｃｏｎｆｉｇｕｒａｔｉｏｎ ｉｎｆｏｒｍａｔｉｏｎ)及び(ｉｉ)非周期的ＳＲＳ送信リクエストのためのＤＣＩフィールドを含むダウンリンク制御情報(ｄｏｗｎｌｉｎｋ ｃｏｎｔｒｏｌ ｉｎｆｏｒｍａｔｉｏｎ、ＤＣＩ)を受信するように構成される。プロセッサは非周期的ＳＲＳ送信リクエストで設定情報及びＤＣＩをデコーディングするように構成される。送受信機はさらにＣＳＩ−ＲＳを受信し、ＳＲＳを送信するように構成される。ＳＲＳは上位階層設定されたＳＲＳリソースに相応し、複数の設定されたＳＲＳリソースは一つ以上である。
【０００８】
別の実施形態で、基地局(ｂａｓｅ ｓｔａｔｉｏｎ、ＢＳ)が提供される。ＢＳはプロセッサ及びプロセッサに動作可能に接続された送受信機を含む。プロセッサは(ｉ)ＣＳＩ−ＲＳ及びＳＲＳに対する設定情報及び(ｉｉ)非周期的ＳＲＳ送信リクエストのためのＤＣＩフィールドを含むＤＣＩを生成するように構成される。送受信機はＤＬチャンネル及びＣＳＩ−ＲＳを介して設定情報及びＤＣＩをＵＥに送信し、リクエストされた非周期的ＳＲＳをＵＥから受信するように構成される。ＳＲＳは上位階層設定されたＳＲＳリソースに相応し、複数の設定されたＳＲＳリソースは一つ以上である。
【０００９】
さらに別の実施形態で、ＵＥを動作させる方法が提供される。方法は(ｉ)チャンネル状態情報基準信号(ＣＳＩ−ＲＳ)及びサウンディング基準信号(ＳＲＳ)に対する設定情報及び(ｉｉ)非周期的ＳＲＳ送信をリクエストするためのＤＣＩフィールドを含むダウンリンク制御情報(ＤＣＩ)を受信及びデコーディングする段階を含む。方法はＣＳＩ−ＲＳを受信する段階及びＳＲＳを送信する段階をさらに含む。ＳＲＳは上位階層設定されたＳＲＳリソースに相応し、複数の設定されたＳＲＳリソースは一つ以上である。
【００１０】
本開示は、ＬＴＥ(Ｌｏｎｇ Ｔｅｒｍ Ｅｖｏｌｕｔｉｏｎ)のような４世代(４Ｇ)通信システムよりも高いデータ速度をサポートするために提供されるプレ(ｐｒｅ)−５世代(５Ｇ)又は５Ｇ通信システムに関する。
【００１１】
他の技術的特徴は次の図面、発明の詳細な説明及び特許請求の範囲の記載から通常の技術者に容易に明らかとなる。
【００１２】
以下の詳細な説明をする前に、本特許文書全体にかけて用いられた特定の単語及び語句を定義する。用語“結合(ｃｏｕｐｌｅ)”及びこの派生語は２つ以上の要素が互い物理的に接触するか否かに関わらず２つ以上の要素間のある直接又は間接通信を指す。用語“送信する”、“受信する”及び“通信する”だけではなくこの派生語は直接及び間接通信のいずれもを含む。用語“含む(ｉｎｃｌｕｄｅ)”及び“構成する(ｃｏｍｐｒｉｓｅ)”だけではなくこの派生語は制限無しに含むことを意味する。用語“又は”は包括的であり、及び／又はを意味する。語句“〜に関連した(ａｓｓｏｃｉａｔｅｄ ｗｉｔｈ)”だけではなくこの派生語は、含んで(ｉｎｃｌｕｄｅ)、内に含まれて(ｉｎｃｌｕｄｅｄ ｗｉｔｈｉｎ)、と結合し(ｉｎｔｅｒｃｏｎｎｅｃｔ ｗｉｔｈ)、含有し(ｃｏｎｔａｉｎ)、内に含有され(ｂｅ ｃｏｎｔａｉｎｅｄ ｗｉｔｈｉｎ)、に又はと接続し(ｃｏｎｎｅｃｔ ｔｏ ｏｒ ｗｉｔｈ)、に又はと結合し(ｃｏｕｐｌｅ ｔｏ ｏｒ ｗｉｔｈ)、と通信可能であり(ｂｅ ｃｏｍｍｕｎｉｃａｂｌｅ ｗｉｔｈ)、と協力し(ｃｏｏｐｅｒａｔｅ ｗｉｔｈ)、インタリーブし(ｉｎｔｅｒｌｅａｖｅ)、併置し(ｊｕｘｔａｐｏｓｅ)、に近づいて(ｂｅ ｐｒｏｘｉｍａｔｅ ｔｏ)、に又はとバウンディングされ(ｂｅ ｂｏｕｎｄ ｔｏ ｏｒ ｗｉｔｈ)、有し(ｈａｖｅ)、所有し(ｈａｖｅ ａ ｐｒｏｐｅｒｔｙ ｏｆ)、に又はと関係を有し(ｈａｖｅ ａ ｒｅｌａｔｉｏｎｓｈｉｐ ｔｏ ｏｒ ｗｉｔｈ)などを意味する。用語“制御機”は少なくとも一つの動作を制御する任意のデバイス、システム又はこの一部を意味する。このような制御機はハードウェア又はハードウェアとソフトウェアの組み合せ及び／又はファームウエアで具現されることができる。任意の特定制御機に関連する機能はローカル又は遠隔に中央集中化されたり分散されたりすることができる。語句“少なくとも一つ(ａｔ ｌｅａｓｔ ｏｎｅ ｏｆ)”は、項目のリストと共に用いられる場合、羅列された項目中の一つ以上の異なる組み合せが用いられ、リスト内には一つ項目だけが必要であればよいことを意味する。例えば、“Ａ、Ｂ及びＣのうちの少なくとも一つ”は次の組み合せ：Ａ、Ｂ、Ｃ、ＡとＢ、ＡとＣ、ＢとＣ、及びＡとＢとＣのうちのいずれか一つを含む。
【００１３】
さらに、後述する多様な機能は一つ以上のコンピュータープログラムによって具現されたりサポートされたりすることができ、それぞれのコンピュータープログラムはコンピューター読取り可能プログラムコード(ｃｏｍｐｕｔｅｒ ｒｅａｄａｂｌｅ ｐｒｏｇｒａｍ ｃｏｄｅ)で形成され、コンピューター読取り可能な媒体(ｃｏｍｐｕｔｅｒ ｒｅａｄａｂｌｅ ｍｅｄｉｕｍ)で具現される。用語“アプリケーション”及び“プログラム”は適切なコンピューター読取り可能プログラムコードで具現のための適用された１つ以上のコンピュータープログラム、ソフトウェアコンポーネント、コマンドセット、手続き、関数、客体、クラス、インスタンス、関連データ又はその一部を指称する。語句“コンピューター読取り可能プログラムコード”はソースコード、客体コード及び実行可能コードを含む任意のタイプのコンピューターコードを含む。語句“コンピューター読取り可能媒体”はＲОＭ(ｒｅａｄ ｏｎｌｙ ｍｅｍｏｒｙ)、ＲＡＭ(ｒａｎｄｏｍ ａｃｃｅｓｓ ｍｅｍｏｒｙ)、ハードディスクドライブ、コンパクトディスク(ＣＤ)、デジタルビデオディスク(ＤＶＤ)、又は任意の他のタイプのメモリーのようにコンピューターによりアクセスされることができる任意のタイプの媒体を含む。“非一時的”コンピューター読取り可能媒体は一時的、電気的又は他の信号を送信する有線、無線、光学、他の通信リンクを除く。非一時的コンピューター読取り可能媒体はデータが永久的に記憶されることができる媒体、及び再記録可能光ディスク又は消去可能メモリーデバイスのようにデータが記憶され、後で上書きされることができるような媒体を含む。
【００１４】
他の特定単語及び語句に対する定義は本特許文書全体にかけて提供される。通常の技術者は大部分の場合ではないがこのような定義がこのような定義された単語及び語句の以前及び以後の使用に適用されるということを理解しなければならない。
【発明の効果】
【００１５】
本開示の多様な実施形態はＤＬ及びＵＬ ＲＳの同時使用のための方法及び装置を提供する。
【図面の簡単な説明】
【００１６】
本開示及びこの利点に対するより完全な理解のために、同一な図面符号が同一な部分を示す添付図面と関連して取られた次の説明に対する参照がなされる。
【図１】本開示の多様な実施形態による例示的な無線ネットワークを示す。
【図２Ａ】本開示の多様な実施形態による例示的な無線送受信経路を示す。
【図２Ｂ】本開示の多様な実施形態による例示的な無線送受信経路を示す。
【図３Ａ】本開示の多様な実施形態による例示的なユーザ装置を示す。
【図３Ｂ】本開示の多様な実施形態による例示的なＢＳを示す。
【図４】一つのＣＳＩ−ＲＳポートが複数のアナログ制御アンテナ要素(ａｎａｌｏｇ−ｃｏｎｔｒｏｌｌｅｄ ａｎｔｅｎｎａ ｅｌｅｍｅｎｔ)にマッピングされる例示的なビームフォーミングアーキテクチァーを示す。
【図５】本開示の一実施形態によってＵＥが半永久的(ｓｅｍｉ−ｐｅｒｓｉｓｔｅｎｔ、ＳＰ)ＣＳＩ−ＲＳ及びＳＰ−ＳＲＳのいずれもに設定される時の共同活性化／非活性化メカニズムの例示的な実施形態を示す。
【図６】本開示の一実施形態によってＵＥが非周期的(ａｐｅｒｉｏｄｉｃ、ＡＰ)ＣＳＩ−ＲＳ及びＡＰ−ＳＲＳのいずれもに設定される時の共同活性化／非活性化メカニズムの例示的な実施形態を示す。
【図７】本開示の一実施形態によってＵＥがＡＰ−ＣＳＩ−ＲＳ及びＡＰ−ＳＲＳのいずれもに設定される時のＤＣＩ基盤共同活性化／非活性化メカニズムの例示的な実施形態を示す。
【図８】本開示の一実施形態によるＡＰ−ＳＲＳトリガリングの例示的な実施形態を示す。
【図９】本開示の一実施形態によるＡＰ−ＳＲＳトリガリングの例示的な実施形態を示す。
【図１０】本開示の一実施形態によってＵＥがＣＳＩ−ＲＳ及びＳＲＳに対する設定情報を受信する例示的な方法に対するフローチャートを示す。
【図１１】本開示の一実施形態によってＢＳが(ＵＥ−ｋとしてラベリングされる)ＵＥに対するＣＳＩ−ＲＳ及びＳＲＳに対する設定情報を生成する例示的な方法に対するフローチャートを示す。
【発明を実施するための形態】
【００１７】
以下、論議される図１乃至図１１、及び本特許文書で本開示の原理を説明するために用いられた多様な実施形態はただ例示のためのもので、どんなふうでも本開示の範囲を制限することで解釈されてはならない。通常の技術者は本開示の原理が適切に配置された任意のシステム又はデバイスで具現されることができるということを理解することができる。
頭文字語のリスト
２Ｄ：２次元
ＭＩＭＯ：多重入力多重出力
ＳＵ−ＭＩＭＯ：単一ユーザＭＩＭＯ
ＭＩＭＯ ＭＵ−ＭＩＭＯ：多重ユーザＭＩＭＯ
３ＧＰＰ：３世代パートナーシッププロジェクト(３ｒｄ ｇｅｎｅｒａｔｉｏｎ ｐａｒｔｎｅｒｓｈｉｐ ｐｒｏｊｅｃｔ)
ＬＴＥ：ロングタームエボリューション(ｌｏｎｇ−ｔｅｒｍ ｅｖｏｌｕｔｉｏｎ)
ＵＥ：ユーザ装置
ｅＮＢ：ｅｖｏｌｖｅｄ Ｎｏｄｅ Ｂ又は“ｅＮＢ”
ＢＳ：基地局
ＤＬ：ダウンリンク
ＵＬ：アップリンク
ＣＲＳ：セル特定基準信号
ＤＭＲＳ：復調基準信号
ＳＲＳ：サウンディング基準信号
ＵＥ−ＲＳ：ＵＥ特定基準信号
ＣＳＩ−ＲＳ：チャンネル状態情報基準信号
ＳＣＩＤ：スクランブリングアイデンティティー(ｓｃｒａｍｂｌｉｎｇ ｉｄｅｎｔｉｔｙ)
ＭＣＳ：変調及びコーディング方式(ｍｏｄｕｌａｔｉｏｎ ａｎｄ ｃｏｄｉｎｇ ｓｃｈｅｍｅ)
ＲＥ：リソース要素
ＣＱＩ：チャンネル品質情報
ＰＭＩ：プリコーディングマトリックスインジケーター
ＲＩ：ランクインジケーター(ｒａｎｋ ｉｎｄｉｃａｔｏｒ)
ＭＵ−ＣＱＩ：多重ユーザＣＱＩ
ＣＳＩ：チャンネル状態情報
ＣＳＩ−ＩＭ：ＣＳＩ干渉測定
ＣｏＭＰ：ｃｏｏｒｄｉｎａｔｅｄ ｍｕｌｔｉ−ｐｏｉｎｔ
ＤＣＩ：ダウンリンク制御情報
ＵＣＩ：アップリンク制御情報
ＰＤＳＣＨ：物理的ダウンリンク共有チャンネル
ＰＤＣＣＨ：物理的ダウンリンク制御チャンネル
ＰＵＳＣＨ：物理的アップリンク共有チャンネル
ＰＵＣＣＨ：物理的アップリンク制御チャンネル
ＰＲＢ：物理的リソースブロック
ＲＲＣ：無線リソース制御
ＡｏＡ：到来角(ａｎｇｌｅ ｏｆ ａｒｒｉｖａｌ)
ＡｏＤ：発射角(ａｎｇｌｅ ｏｆ ｄｅｐａｒｔｕｒｅ)
【００１８】
次の文書及び標準説明は本明細書に充分に説明されたように本開示に参照として統合される：３ＧＰＰ Ｔｅｃｈｎｉｃａｌ Ｓｐｅｃｉｆｉｃａｔｉｏｎ (ＴＳ) ３６．２１１ ｖｅｒｓｉｏｎ １２．４．０、“Ｅ−ＵＴＲＡ、Ｐｈｙｓｉｃａｌ ｃｈａｎｎｅｌｓ ａｎｄ ｍｏｄｕｌａｔｉｏｎ” (“ＲＥＦ １”)；３ＧＰＰ ＴＳ ３６．２１２ ｖｅｒｓｉｏｎ １２．３．０、“Ｅ−ＵＴＲＡ、Ｍｕｌｔｉｐｌｅｘｉｎｇ ａｎｄ Ｃｈａｎｎｅｌ ｃｏｄｉｎｇ” (“ＲＥＦ ２”)；３ＧＰＰ ＴＳ ３６．２１３ ｖｅｒｓｉｏｎ １２．４．０、“Ｅ−ＵＴＲＡ、Ｐｈｙｓｉｃａｌ Ｌａｙｅｒ Ｐｒｏｃｅｄｕｒｅｓ”(“ＲＥＦ ３”)；３ＧＰＰ ＴＳ ３６．３２１ ｖｅｒｓｉｏｎ １２．４．０、“Ｅ−ＵＴＲＡ、Ｍｅｄｉｕｍ Ａｃｃｅｓｓ Ｃｏｎｔｒｏｌ (ＭＡＣ) Ｐｒｏｔｏｃｏｌ Ｓｐｅｃｉｆｉｃａｔｉｏｎ”(“ＲＥＦ ４”)；３ＧＰＰ ＴＳ ３６．３３１ ｖｅｒｓｉｏｎ １２．４．０、“Ｅ−ＵＴＲＡ、Ｒａｄｉｏ Ｒｅｓｏｕｒｃｅ Ｃｏｎｔｒｏｌ (ＲＲＣ) Ｐｒｏｔｏｃｏｌ Ｓｐｅｃｉｆｉｃａｔｉｏｎ” (“ＲＥＦ ５”)；３ＧＰＰ Ｔｅｃｈｎｉｃａｌ Ｓｐｅｃｉｆｉｃａｔｉｏｎ (ＴＳ) ３８．２１１ ｖｅｒｓｉｏｎ １５．０．０、“ＮＲ、Ｐｈｙｓｉｃａｌ ｃｈａｎｎｅｌｓ ａｎｄ ｍｏｄｕｌａｔｉｏｎ”(“ＲＥＦ ６”)；３ＧＰＰ ＴＳ ３８．２１２ ｖｅｒｓｉｏｎ １５．０．０、“ＮＲ、Ｍｕｌｔｉｐｌｅｘｉｎｇ ａｎｄ Ｃｈａｎｎｅｌ ｃｏｄｉｎｇ” (“ＲＥＦ ７”)；３ＧＰＰ ＴＳ ３８．２１３ ｖｅｒｓｉｏｎ １５．０．０、“ＮＲ、Ｐｈｙｓｉｃａｌ Ｌａｙｅｒ Ｐｒｏｃｅｄｕｒｅｓ ｆｏｒ Ｃｏｎｔｒｏｌ”(“ＲＥＦ ８”)；３ＧＰＰ ＴＳ ３８．２１４ ｖｅｒｓｉｏｎ １５．０．０、“ＮＲ、Ｐｈｙｓｉｃａｌ Ｌａｙｅｒ Ｐｒｏｃｅｄｕｒｅｓ ｆｏｒ Ｄａｔａ” (“ＲＥＦ ９”)；３ＧＰＰ ＴＳ ３８．３２１ ｖｅｒｓｉｏｎ １５．０．０、“ＮＲ、Ｍｅｄｉｕｍ Ａｃｃｅｓｓ Ｃｏｎｔｒｏｌ (ＭＡＣ) Ｐｒｏｔｏｃｏｌ Ｓｐｅｃｉｆｉｃａｔｉｏｎ” (“ＲＥＦ １０”)；ａｎｄ ３ＧＰＰ ＴＳ ３８．３３１ ｖｅｒｓｉｏｎ １５．０．０、“ＮＲ、Ｒａｄｉｏ Ｒｅｓｏｕｒｃｅ Ｃｏｎｔｒｏｌ (ＲＲＣ) Ｐｒｏｔｏｃｏｌ Ｓｐｅｃｉｆｉｃａｔｉｏｎ” (“ＲＥＦ １１”)。
【００１９】
４Ｇ通信システムの配置以後に増加した無線データトラフィックに対するニーズを満たすため、改善された５Ｇ又はｐｒｅ−５Ｇ通信システムを開発するための努力が行われた。したがって、５Ｇ又はｐｒｅ−５Ｇ通信システムは‘Ｂｅｙｏｎｄ ４Ｇ Ｎｅｔｗｏｒｋ’又は‘Ｐｏｓｔ ＬＴＥ’と呼ばれる。
【００２０】
５Ｇ通信システムはさらに高周波(ｍｍＷａｖｅ)帯域、すなわち、６０ＧＨｚ帯域で具現されてより高いデータ速度を達成することで考慮される。無線波の電波損失を減少させて、送信カバレッジを増加させるため、ビームフォーミング、大量ＭＩＭＯ(ｍｕｌｔｉｐｌｅ−ｉｎｐｕｔ ｍｕｌｔｉｐｌｅ−ｏｕｔｐｕｔ)、ＦＤ−ＭＩＭＯ(ｆｕｌｌ ｄｉｍｅｎｓｉｏｎａｌ ＭＩＭＯ)、アレイアンテナ、アナログビームフォーミング、大規模アンテナ技術などが５Ｇ 通信システムで論議される。
【００２１】
さらに、５Ｇ通信システムで、先端小型セル、クラウドＲＡＮ(Ｒａｄｉｏ Ａｃｃｅｓｓ Ｎｅｔｗｏｒｋ)、超高密度ネットワーク(ｕｌｔｒａ−ｄｅｎｓｅ ｎｅｔｗｏｒｋ)、Ｄ２Ｄ(ｄｅｖｉｃｅ−ｔｏ−ｄｅｖｉｃｅ)通信、無線バックホール、移動ネットワーク、協力通信、ＣｏＭＰ(Ｃｏｏｒｄｉｎａｔｅｄ Ｍｕｌｔｉ−Ｐｏｉｎｔ)送受信、干渉緩和及び取消しなどを基盤にシステムネットワーク改善のための開発が進行されている。
【００２２】
５Ｇシステムで、ＡＣＭ(ａｄｖａｎｃｅｄ ｃｏｄｉｎｇ ｍｏｄｕｌａｔｉｏｎ)としてＦＱＡＭ(Ｈｙｂｒｉｄ ＦＳＫ ａｎｄ ＱＡＭ Ｍｏｄｕｌａｔｉｏｎ)及びＳＷＳＣ(ｓｌｉｄｉｎｇ ｗｉｎｄｏｗ ｓｕｐｅｒｐｏｓｉｔｉｏｎ ｃｏｄｉｎｇ)、進歩されたアクセス技術としてＦＢＭＣ(ｆｉｌｔｅｒ ｂａｎｋ ｍｕｌｔｉ ｃａｒｒｉｅｒ)、ＮＯＭＡ(ｎｏｎ−ｏｒｔｈｏｇｏｎａｌ ｍｕｌｔｉｐｌｅ ａｃｃｅｓｓ)及びＳＣＭＡ(ｓｐａｒｓｅ ｃｏｄｅ ｍｕｌｔｉｐｌｅ ａｃｃｅｓｓ)が開発された。
【００２３】
図１は、本開示の多様な実施形態による例示的な無線ネットワーク１００を示す。図１に示された無線ネットワーク１００の実施形態は例示のみのためのことである。無線ネットワーク１００の他の実施形態は本開示の範囲を逸脱せず用いられることができる。
【００２４】
無線ネットワーク１００は基地局(ＢＳ)１０１、ＢＳ１０２及びＢＳ１０３を含む。ＢＳ１０１はＢＳ１０２及びＢＳ１０３と通信する。ＢＳ１０１はさらにインターネット、独占的ＩＰ(Ｉｎｔｅｒｎｅｔ Ｐｒｏｔｏｃｏｌ)ネットワーク又は他のデータネットワークのような少なくとも一つのＩＰネットワーク１３０と通信する。“ＢＳ”の代りに、“ｅＮＢ”(ｅｎｈａｎｃｅｄ Ｎｏｄｅ Ｂ)又は“ｇＮＢ”(ｇｅｎｅｒａｌ Ｎｏｄｅ Ｂ)のようなオプション用語(ｏｐｔｉｏｎ ｔｅｒｍ)がさらに用いられることができる。ネットワークタイプによって、“基地局”又は“アクセスポイント”(ａｃｃｅｓｓ ｐｏｉｎｔ)のような“ｇＮＢ”又は“ＢＳ”の代りによく知られた他の用語が用いられることができる。便宜上、用語“ｇＮＢ”及び“ＢＳ”は本特許文書で遠隔端末機(ｒｅｍｏｔｅ ｔｅｒｍｉｎａｌ)に無線アクセスを提供するネットワークインフラ構成要素(ｎｅｔｗｏｒｋ ｉｎｆｒａｓｔｒｕｃｔｕｒｅ ｃｏｍｐｏｎｅｎｔ)を示すのに用いられる。また、ネットワークタイプによって、“移動局”、“加入者局(ｓｕｂｓｃｒｉｂｅｒ ｓｔａｔｉｏｎ)”、“遠隔端末機”、“無線端末機”又は“ユーザデバイス”のような“ユーザ装置”又は“ＵＥ”の代りに他のよく知られた用語が用いられることができる。便宜上、用語“ユーザ装置”及び“ＵＥ”は本特許文書でＵＥが(移動電話又はスマートフォンのような)モバイルデバイスであるか、又は一般的に(デスクトップコンピュータ(ｄｅｓｋｔｏｐ ｃｏｍｐｕｔｅｒ)又は自動販売機(ｖｅｎｄｉｎｇ ｍａｃｈｉｎｅ)のような)固定デバイス(ｓｔａｔｉｏｎａｒｙ ｄｅｖｉｃｅ)であるかにかかわらずｇＮＢに無線でアクセスする遠隔無線装置を示すのに用いられる。
【００２５】
ｇＮＢ１０２はｇＮＢ１０２のカバレッジ領域１２０内の第１複数のユーザ装置(ＵＥ)に対するネットワーク１３０に無線広帯域アクセス(ｗｉｒｅｌｅｓｓ ｂｒｏａｄｂａｎｄ ａｃｃｅｓｓ)を提供する。第１複数のＵＥは小企業(ｓｍａｌｌ ｂｕｓｉｎｅｓｓ；ＳＢ)に位置することができるＵＥ１１１；企業(ｅｎｔｅｒｐｒｉｓｅ；Ｅ)に位置することができるＵＥ１１２；ＷｉＦｉホットスポット(ｈｏｔｓｐｏｔ；ＨＳ)に位置することができるＵＥ１１３)；第１居住地(ｒｅｓｉｄｅｎｃｅ；Ｒ)に位置することができるＵＥ１１４；第２居住地(Ｒ)に位置することができるＵＥ１１５；及びセルフォン(ｃｅｌｌ ｐｈｏｎｅ)、無線ラップトップ(ｗｉｒｅｌｅｓｓ ｌａｐｔｏｐ)、無線ＰＤＡなどのようなモバイルデバイス(ｍｏｂｉｌｅ ｄｅｖｉｃｅ)(Ｍ)であってよいＵＥ１１６を含む。ｇＮＢ１０３はｇＮＢ１０３のカバレッジ領域１２５内の第２複数のＵＥに対するネットワーク１３０に無線広帯域アクセスを提供する。第２複数のＵＥはＵＥ１１５及びＵＥ１１６を含む。一部実施形態で、ｇＮＢ１０１−１０３のうちの一つ以上は互いに通信し、５Ｇ、ＬＴＥ、ＬＴＥ−Ａ、ＷｉＭＡＸ、ＷｉＦｉ又は他の無線通信技術を用いてＵＥ１１１−１１６と通信することができる。
【００２６】
点線は例示及び説明のみのためにほとんど円形に示されるカバレッジ領域１２０及び１２５の大略的な範囲を示す。カバレッジ領域１２０及び１２５のようなｇＮＢに係るカバレッジ領域はｇＮＢの設定及び自然的及び人工的妨害物(ｍａｎ−ｍａｄｅ ｏｂｓｔｒｕｃｔｉｏｎ)に係る無線環境の変化に従って不規則な形状を含む他の形状を有することができるということが明確に理解されなければならない。
【００２７】
以下、より詳細に説明されるように、ｇＮＢ１０１、ｇＮＢ１０２及びｇＮＢ１０３のうちの一つ以上は測定基準信号をＵＥ１１１−１１６に送信し、本開示の実施形態で説明されたようにＣＳＩ報告のためにＵＥ１１１−１１６を構成する。多様な実施形態で、一つ以上のＵＥ１１１−１１６はＣＳＩ−ＲＳ(Ｃｈａｎｎｅｌ Ｓｔａｔｅ Ｉｎｆｏｒｍａｔｉｏｎ Ｒｅｆｅｒｅｎｃｅ Ｓｉｇｎａｌ)を受信し、ＳＲＳ(Ｓｏｕｎｄｉｎｇ Ｒｅｆｅｒｅｎｃｅ Ｓｉｇｎａｌ)を送信する。
【００２８】
図１は、無線ネットワーク１００の一例を示すが、図１に対する多様な変更がなることができる。例えば、無線ネットワーク１００は任意の数のｇＮＢ及び任意の数のＵＥを任意の適切な配置に含ませることができる。また、ｇＮＢ１０１は任意の数のＵＥと直接通信することができ、ネットワーク１３０に対する無線広帯域アクセスをこのようなＵＥに提供することができる。類似に、それぞれのｇＮＢ１０２−１０３はネットワーク１３０と直接通信することができ、ネットワークに対する直接無線広帯域アクセスをＵＥに提供することができる。さらに、ｇＮＢ１０１、１０２及び／又は１０３は外部電話ネットワーク又は他のタイプのデータネットワークのような他の又は付加的な外部ネットワークに対するアクセスを提供することができる。
【００２９】
図２Ａ及び２Ｂは本開示による例示的な無線送受信経路を示す。次の説明で、送信経路２００はｇＮＢ(例えば、ｇＮＢ１０２)で具現されることに説明されることができるが、受信経路２５０はＵＥ(例えば、ＵＥ１１６)で具現されることに説明されることができる。しかし、受信経路２５０はｇＮＢで具現されることができ、送信経路２００はＵＥで具現されることができることを理解するだろう。一部実施形態で、受信経路２５０は本開示の実施形態で説明されたようにＣＳＩ−ＲＳを受信してＳＲＳを送信するように構成される。
【００３０】
送信経路２００はチャンネルコーディング及び変調ブロック(ｃｈａｎｎｅｌ ｃｏｄｉｎｇ ａｎｄ ｍｏｄｕｌａｔｉｏｎ ｂｌｏｃｋ)２０５、直列対並列(ｓｅｒｉａｌ−ｔｏ−ｐａｒａｌｌｅｌ；Ｓ−ｔｏ−Ｐ)ブロック２１０、大きさＮ逆の高速フーリエ変換(Ｉｎｖｅｒｓｅ Ｆａｓｔ Ｆｏｕｒｉｅｒ Ｔｒａｎｓｆｏｒｍ；ＩＦＦＴ)ブロック２１５、並列対直列(ｐａｒａｌｌｅｌ−ｔｏ−ｓｅｒｉａｌ；Ｐ−ｔｏ−Ｓ)ブロック２２０、‘付加サイクリックプレフィックス’ブロック(ａｄｄ ｃｙｃｌｉｃ ｐｒｅｆｉｘ ｂｌｏｃｋ)２２５及びアップコンバータ(ｕｐ−ｃｏｎｖｅｒｔｅｒ；ＵＣ)２３０を含む。受信経路２５０はダウンコンバータ(ｄｏｗｎ−ｃｏｎｖｅｒｔｅｒ；ＤＣ)２５５、‘消去サイクリックプレフィックス’ブロック(ｒｅｍｏｖｅ ｃｙｃｌｉｃ ｐｒｅｆｉｘ ｂｌｏｃｋ)２６０、直列対並列(Ｓ−ｔｏ−Ｐ)ブロック２６５、大きさＮ高速フーリエ変換(Ｆａｓｔ Ｆｏｕｒｉｅｒ Ｔｒａｎｓｆｏｒｍ；ＦＦＴ)ブロック２７０、並列対直列(Ｐ−ｔｏ−Ｓ)ブロック２７５、及びチャンネルデコーディング及び復調ブロック(ｃｈａｎｎｅｌ ｄｅｃｏｄｉｎｇ ａｎｄ ｄｅｍｏｄｕｌａｔｉｏｎ ｂｌｏｃｋ)２８０を含む。
【００３１】
送信経路２００で、チャンネルコーディング及び変調ブロック２０５は一つのセットの情報ビット(ｉｎｆｏｒｍａｔｉｏｎ ｂｉｔ)を受信し、コーディング(例えば、畳み込み(ｃｏｎｖｏｌｕｔｉｏｎａｌ)、ターボ(Ｔｕｒｂｏ)、又は低密度パリティーチェック(ｌｏｗ−ｄｅｎｓｉｔｙ ｐａｒｉｔｙ ｃｈｅｃｋ、ＬＤＰＣコーディング)を適用し、一連の周波数ドメイン変調シンボル(ｆｒｅｑｕｅｎｃｙ−ｄｏｍａｉｎ ｍｏｄｕｌａｔｉｏｎ ｓｙｍｂｏｌ)を生成するため(例えば、ＱＰＳＫ(ｑｕａｄｒａｔｕｒｅ ｐｈａｓｅ ｓｈｉｆｔ ｋｅｙｉｎｇ)又はＱＡＭ(ｑｕａｄｒａｔｕｒｅ ａｍｐｌｉｔｕｄｅ ｍｏｄｕｌａｔｉｏｎ)で)入力ビット(ｉｎｐｕｔ ｂｉｔ)を変調させる。直列対並列ブロック２１０はＮがｇＮＢ１０２及びＵＥ１１６で用いられるＩＦＦＴ／ＦＦＴ大きさであるＮ個の並列シンボルストリーム(ｐａｒａｌｌｅｌ ｓｙｍｂｏｌ ｓｔｒｅａｍ)を生成するために直列変調されたシンボル(ｓｅｒｉａｌ ｍｏｄｕｌａｔｅｄ ｓｙｍｂｏｌ)を並列データ(ｐａｒａｌｌｅｌ ｄａｔａ)で変換する(例えば、デマルチプレクシングする(ｄｅ−ｍｕｌｔｉｐｌｅｘ))。大きさＮ ＩＦＦＴブロック２１５は時間−ドメイン出力信号(ｔｉｍｅ−ｄｏｍａｉｎ ｏｕｔｐｕｔ ｓｉｇｎａｌ)を生成するためにＮ個の並列シンボルストリーム上でＩＦＦＴ演算を行う。並列対直列ブロック２２０は直列時間−ドメイン信号(ｓｅｒｉａｌ ｔｉｍｅ−ｄｏｍａｉｎ ｓｉｇｎａｌ)を生成するために大きさＮ ＩＦＦＴブロック２１５からの並列時間−ドメイン出力シンボル(ｐａｒａｌｌｅｌ ｔｉｍｅ−ｄｏｍａｉｎ ｏｕｔｐｕｔ ｓｙｍｂｏｌ)を変換する(例えば、マルチプレクシングする)。‘付加サイクリックプレフィックス’ブロック２２５はサイクリックプレフィックス(ｃｙｃｌｉｃ ｐｒｅｆｉｘ)を時間−ドメイン信号に挿入する。アップコンバータ(ＵＣ)２３０は無線チャンネルを通じる送信のために‘付加サイクリックプレフィックス’ブロック２２５の出力をＲＦ周波数で変調させる(例えば、アップ変換させる)。信号はさらにＲＦ周波数で変換する前に基底帯域でフィルタリングされることができる。
【００３２】
ｇＮＢ１０２から送信されたＲＦ信号は無線チャンネルを通過した後ＵＥ１１６に到逹し、ｇＮＢ１０２での動作との逆動作(ｒｅｖｅｒｓｅ ｏｐｅｒａｔｉｏｎ)が行われる。ダウンコンバータ(ＤＣ)２５５は受信された信号を基底帯域周波数でダウン変換させて、‘消去サイクリックプレフィックス’ブロック２６０は直列時間−ドメイン基底帯域信号を生成するためにサイクリックプレフィックスを消去する。直列対並列ブロック２６５は時間−ドメイン基底帯域信号を並列時間−ドメイン信号で変換する。大きさＮ ＦＦＴブロック２７０はＮ個の並列周波数ドメイン信号を生成するためにＦＦＴアルゴリズムを行う。並列対直列ブロック２７５は並列周波数ドメイン信号を一連の変調されたデータシンボルで変換する。チャンネルデコーディング及び復調ブロック２８０は元々の入力データストリームを復元するために変調されたシンボルを復調してデコーディングする。
【００３３】
以下、さらに説明されるように、送信経路２００又は受信経路２５０はＣＳＩ報告のためのシグナリングを行うことができる。ｇＮＢ１０１−１０３のそれぞれはダウンリンクでＵＥ１１１−１１６に送信することと類似の送信経路２００を具現することができ、アップリンクでＵＥ１１１−１１６から受信することと類似の受信経路２５０を具現することができる。同様に、ＵＥ１１１−１１６のそれぞれはアップリンクでｇＮＢ１０１−１０３に送信するための送信経路２００を具現することができ、ダウンリンクでｇＮＢ１０１−１０３から受信するための受信経路２５０を具現することができる。
【００３４】
図２Ａ及び２Ｂでのそれぞれの構成要素はハードウェアのみを用いるかハードウェア及びソフトウェア／ファームウエアの組み合せを用いて具現されることができる。特定例として、図２Ａ及び図２Ｂの構成要素のうちの少なくとも一部はソフトウェアで具現されることができるが、他の構成要素は構成可能なハードウェア又はソフトウェアと構成可能なハードウェアの混合によって具現されることができる。例えば、ＦＦＴブロック２７０及びＩＦＦＴブロック２１５は構成可能なソフトウェアアルゴリズムとして具現されることができ、ここで大きさＮの値は具現によって修正されることができる。
【００３５】
さらに、ＦＦＴ及びＩＦＦＴを用いることで説明されたが、これは例示にすぎず、本開示の範囲を制限することに解釈されてはならない。離散フーリエ変換(Ｄｉｓｃｒｅｔｅ Ｆｏｕｒｉｅｒ Ｔｒａｎｓｆｏｒｍ、ＤＦＴ)及び逆離散フーリエ変換(Ｉｎｖｅｒｓｅ Ｄｉｓｃｒｅｔｅ Ｆｏｕｒｉｅｒ Ｔｒａｎｓｆｏｒｍ、ＩＤＦＴ)関数のような他のタイプの変換が用いられることができる。変数Ｎの値はＤＦＴ及びＩＤＦＴ関数に対して任意の定数(例えば、１、２、３、４など)であってよく、変数Ｎの値はＦＦＴ及びＩＦＦＴ関数に対しては２の累乗である任意の整数(例えば、１、２、４、８、１６など)であってよい。
【００３６】
図２Ａ及び２Ｂは無線送受信経路の例を示すが、図２Ａ及び２Ｂに対する多様な変更を行うことができる。例えば、図２Ａ及び２Ｂでの多様な構成要素は組み合せるか、より細分化されるか、省略されることができ、付加的な構成要素は特定要求によって付加されることができる。また、図２Ａ及び図２Ｂは無線ネットワークで用いられることができる送受信経路のタイプの例を示すためのことである。無線ネットワークで無線通信をサポートするために他の適切なアーキテクチァーが用いられることができる。
【００３７】
図３Ａは、本開示によるＵＥ１１６の例を示す。図３Ａに示されたＵＥ１１６の実施形態はただ例示のためのことであり、図１のＵＥ１１１−１１５は同一又は類似の構成を有することができる。しかし、ＵＥは多様な構成をもって、図３Ａは本開示の範囲をＵＥの任意の特定具現で制限しない。
【００３８】
ＵＥ１１６はアンテナ３０５、無線周波数(ｒａｄｉｏ ｆｒｅｑｕｅｎｃｙ；ＲＦ)送受信機３１０、送信(ＴＸ)処理回路３１５、マイクロフォン３２０及び受信(ＲＸ)処理回路３２５を含む。ＵＥ１１６はアンテナ３０５、無線周波数(ＲＦ)送受信機３１０、送信(ＴＸ)処理回路３１５、マイクロフォン３２０及び受信(ＲＸ)処理回路３２５を含む。ＵＥ１１６はさらにスピーカー３３０、プロセッサ３４０、入出力(Ｉ／Ｏ)インターフェース３４５、入力３５０、ディスプレー３５５及びメモリー３６０を含む。メモリー３６０はＯＳ(ｏｐｅｒａｔｉｎｇ ｓｙｓｔｅｍ)プログラム３６１及び一つ以上のアプリケーション３６２を含む。
【００３９】
ＲＦ送受信機３１０は、アンテナ３０５から、図１の無線ネットワーク１００のｇＮＢによって送信された入る(ｉｎｃｏｍｉｎｇ)ＲＦ信号を受信する。ＲＦ送受信機３１０は中間周波数(ｉｎｔｅｒｍｅｄｉａｔｅ ｆｒｅｑｕｅｎｃｙ、ＩＦ)又は基底帯域信号を生成するように入るＲＦ信号をダウン変換させる。ＩＦ又は基底帯域信号は基底帯域又はＩＦ信号をフィルタリング、デコーディング及び／又はデジタル化することによって処理された基底帯域信号を生成するＲＸ処理回路３２５で送信される。ＲＸ処理回路３２５は処理された基底帯域信号(例えば、音声データ)をスピーカー３３０又は(ウェブブラウジングデータのような)追加の処理のためのプロセッサ３４０で送信する。
【００４０】
ＴＸ処理回路３１５はマイクロフォン３２０からアナログ又はデジタル音声データを受信したりプロセッサ３４０から(ウェブデータ、電子メール又は対話形ビデオゲームデータのような)他の出る(ｏｕｔｇｏｉｎｇ)基底帯域データを受信したりする。ＴＸ処理回路３１５は処理された基底帯域又はＩＦ信号を生成するために他の出る(ｏｕｔｇｏｉｎｇ)基底帯域データをエンコーディング、マルチプレクシング及び／又はデジタル化する。ＲＦ送受信機３１０はＴＸ処理回路３１５から出る処理された基底帯域又はＩＦ信号を受信し、基底帯域又はＩＦ信号をアンテナ３０５を介して送信されるＲＦ信号でアップ変換する。
【００４１】
プロセッサ３４０は、一つ以上のプロセッサ又は他の処理デバイスを含み、ＵＥ１１６の全体動作を制御するためにメモリー３６０に記憶されたＯＳプログラム３６１を行うことができる。例えば、プロセッサ３４０はよく知られた原理によってＲＦ送受信機３１０、ＲＸ処理回路３２５及びＴＸ処理回路３１５によって順方向チャンネル信号の受信及び逆方向チャンネル信号の送信を制御することができる。一部実施形態で、プロセッサ３４０は少なくとも一つのマイクロプロセッサ又はマイクロ制御機を含む。
【００４２】
プロセッサ３４０は、さらに本開示の実施形態で説明されたようにシステムに対するＣＱＩ測定及び報告のための動作のようにメモリー３６０に常住する他のプロセス及びプログラムを行うことができる。プロセッサ３４０は実行プロセスによって要求されるようにメモリー３６０内外でデータを移動させることができる。一部実施形態で、プロセッサ３４０はＯＳプログラム３６１に基づくかｇＮＢ又はオペレーターから受信された信号に応答してアプリケーション３６２を行うように構成される。プロセッサ３４０はさらにラップトップコンピューター及びハンドヘルドコンピューターのような他のデバイスに接続する能力をＵＥ１１６に提供するＩ／Ｏインターフェース３４５に結合される。Ｉ／Ｏインターフェース３４５はこのようなアクセサリーとプロセッサ３４０の間の通信経路(ｃｏｍｍｕｎｉｃａｔｉｏｎ ｐａｔｈ)である。
【００４３】
プロセッサ３４０は、さらに入力３５０(例えば、キーパッド、タッチスクリーン、ボタンなど)及びディスプレー３５５に結合される。ＵＥ１１６のオペレーターは入力３５０を用いてデータをＵＥ１１６に入力することができる。ディスプレー３５５は液晶ディスプレー、又は例えば、ウェブサイトからテキスト及び／又は少なくとも制限されたグラフィックをレンダリング(ｒｅｎｄｅｒｉｎｇ)することができる他のディスプレーであってよい。
【００４４】
メモリー３６０は、プロセッサ３４０に結合される。メモリー３６０の部分はＲＡＭ(ｒａｎｄｏｍ ａｃｃｅｓｓ ｍｅｍｏｒｙ)を含むことができ、メモリー３６０の他の部分はフラッシュメモリー又は他のＲＯＭ(ｒｅａｄ−ｏｎｌｙ ｍｅｍｏｒｙ)を含むことができる。
【００４５】
以下、より詳しく説明されるように、ＵＥ１１６はマルチプレクシングされたＣＳＩ報告のためのシグナリング及び計算を行うことができる。図３ＡがＵＥ１１６の一例を示すが、図３Ａに対する多様な変更を行うことができる。例えば、図３Ａでの多様な構成要素は組み合せたり、より細分化されたり、省略されたりすることができ、特定要求によって付加的な構成要素が付加されることができる。特定例として、プロセッサ３４０は一つ以上の中央処理ユニット(ｃｅｎｔｒａｌ ｐｒｏｃｅｓｓｉｎｇ ｕｎｉｔ、ＣＰＵ)及び一つ以上のグラフィック処理ユニット(ｇｒａｐｈｉｃｓ ｐｒｏｃｅｓｓｉｎｇ ｕｎｉｔ、ＧＰＵ)のような複数のプロセッサに分割されることができる。また、図３Ａは移動電話又はスマートフォンとして構成されたＵＥ１１６を示すが、ＵＥは他のタイプの移動又は固定デバイスとして動作するように構成されることができる。
【００４６】
図３Ｂは、本開示による例示的なｇＮＢ１０２を示す。図３Ｂに示されたｇＮＢ１０２の実施形態はただ例示のためのことであり、図１の他のｇＮＢは同一であるか類似の構成を有することができる。しかし、ｇＮＢは多様な構成を有し、図３Ｂは本開示の範囲をｇＮＢの任意の特定具現で制限しない。ｇＮＢ１０１及びｇＮＢ１０３は同一又は類似の構造を含むことができる。
【００４７】
図３Ｂに示されたように、ｇＮＢ１０２は複数のアンテナ３７０ａ−３７０ｎ、複数のＲＦ送受信機３７２ａ−３７２ｎ、送信(ＴＸ)処理回路３７４及び受信(ＲＸ)処理回路３７６を含む。特定実施形態で、一つ以上の複数のアンテナ３７０ａ−３７０ｎは２Ｄアンテナアレイを含む。ｇＮＢ１０２はさらに制御機／プロセッサ３７８、メモリー３８０及びバックホール又はネットワークインターフェース３８２を含む。
【００４８】
ＲＦ送受信機３７２ａ−３７２ｎは、アンテナ３７０ａ−３７０ｎから、ＵＥ又は他のｇＮＢによって送信された信号のような入るＲＦ信号を受信する。ＲＦ送受信機３７２ａ−３７２ｎはＩＦ又は基底帯域信号を生成するように入るＲＦ信号をダウン変換させる。ＩＦ又は基底帯域信号は基底帯域又はＩＦ信号をフィルタリング、デコーディング及び／又はデジタル化することによって処理された基底帯域信号を生成するＲＸ処理回路３７６で送信される。ＲＸ処理回路３７６は処理された基底帯域信号を追加の処理のための制御機／プロセッサ３７８で送信する。
【００４９】
ＴＸ処理回路３７４は制御機／プロセッサ３７８から(音声データ(ｖｏｉｃｅ ｄａｔａ)、ウェブデータ、電子メール又は対話形ビデオゲームデータ(ｉｎｔｅｒａｃｔｉｖｅ ｖｉｄｅｏ ｇａｍｅ ｄａｔａ)のような)アナログ又はデジタルデータを受信する。ＴＸ処理回路３７４は処理された基底帯域又はＩＦ信号を生成するためで出る基底帯域データをエンコーディング、マルチプレクシング及び／又はデジタル化する。ＲＦ送受信機３７２ａ−３７２ｎはＴＸ処理回路３７４から出る処理された基底帯域又はＩＦ信号を受信し、基底帯域又はＩＦ信号をアンテナ３７０ａ−３７０ｎを介して送信されるＲＦ信号でアップ変換する。
【００５０】
制御機／プロセッサ３７８はｇＮＢ１０２の全体動作を制御する一つ以上のプロセッサ又は他の処理デバイスを含むことができる。例えば、制御機／プロセッサ３７８はよく知られた原理によってＲＦ送受信機３７２ａ−３７２ｎ、ＲＸ処理回路３７６及びＴＸ処理回路３７４によって順方向チャンネル信号の受信及び逆方向チャンネル信号の送信を制御することができる。制御機／プロセッサ３７８はさらに進歩された無線通信機能のような付加的な機能をサポートすることができる。一部実施形態で、制御機／プロセッサ３７８は少なくとも一つのマイクロプロセッサ又はマイクロ制御機を含む。
【００５１】
制御機／プロセッサ３７８はさらにＯＳのようなメモリー３８０に常住するプログラム及び他のプロセスを行うことができる。制御機／プロセッサ３７８はさらに本開示の実施形態で説明されたように２Ｄアンテナアレイを有するシステムに対するチャンネル品質測定及び報告をサポートすることができる。一部実施形態で、制御機／プロセッサ３７８はウェブＲＴＣのようなエンティティの間の通信をサポートする。制御機／プロセッサ３７８は実行プロセスによって要求されるようにメモリー３８０内外でデータを移動させることができる。
【００５２】
制御機／プロセッサ３７８はさらにバックホール又はネットワークインターフェース３８２に結合される。バックホール又はネットワークインターフェース３８２はｇＮＢ１０２がバックホール接続又はネットワークを介して他のデバイス又はシステムと通信するように許容する。バックホール又はネットワークインターフェース３８２は任意の適切な有線又は無線接続を通じる通信をサポートすることができる。例えば、ｇＮＢ１０２が(５Ｇ又は新しい無線アクセス技術又はＮＲ、ＬＴＥ又はＬＴＥ−Ａをサポートすることのような)セルラー通信システムの部分として具現される時、バックホール又はネットワークインターフェース３８２はｇＮＢ１０２が有線又は無線バックホール接続を介して他のｇＮＢと通信するように許容することができる。ｇＮＢ１０２がアクセスポイントとして具現される時、バックホール又はネットワークインターフェース３８２はｇＮＢ１０２が有線又は無線ローカル領域ネットワーク又は有線又は無線接続を介して(インターネットのような)より大きいネットワークで通信するように許容することができる。バックホール又はネットワークインターフェース３８２はイーサネット(登録商標)又はＲＦ送受信機のような有線又は無線接続を通じる通信をサポートする任意の適切な構造を含む。
【００５３】
メモリー３８０は制御機／プロセッサ３７８に結合される。メモリー３８０の一部はＲＡＭを含むことができ、メモリー３８０の他の部分はフラッシュメモリー又は他のＲＯＭを含むことができる。特定実施形態で、ＢＩＳアルゴリズムのような複数の命令語はメモリーに記憶される。複数の命令語は制御機／プロセッサ３７８がＢＩＳプロセスを行い、ＢＩＳアルゴリズムによって決定された少なくとも一つの干渉信号を引き算した後に受信された信号をデコーディングするように設定される。
【００５４】
以下、より詳しく説明されるように、(ＲＦ送受信機３７２ａ−３７２ｎ、ＴＸ処理回路３７４及び／又はＲＸ処理回路３７６を用いて具現された)ｇＮＢ１０２の送受信経路はＣＳＩ−ＲＳを割り当て及び送信するだけではなく、ＳＲＳを割り当て及び受信する。
【００５５】
図３Ｂは、ｇＮＢ１０２の一例を示すが、図３Ｂに対する多様な変更を行うことができる。例えば、ｇＮＢ１０２は図３Ａに示された任意の数のそれぞれの構成要素を含むことができる。特定例として、アクセスポイントは複数のバックホール又はネットワークインターフェース３８２を含むことができ、制御機／プロセッサ３７８は相違するネットワークアドレスの間でデータをラウティングするラウティング機能をサポートすることができる。他の特定例として、ＴＸ処理回路３７４の単一インスタンス(ｉｎｓｔａｎｃｅ)及びＲＸ処理回路３７６の単一インスタンスを含むことに示されるが、ｇＮＢ１０２は(ＲＦ送受信機当たり１つのような)それぞれの複数のインスタンスを含むことができる。
【００５６】
Ｒｅｌ．１３ＬＴＥは最大１６個のＣＳＩ−ＲＳアンテナポートをサポートしてｇＮＢが複数のアンテナ要素(例えば、６４又は１２８)を装着することができるようにする。この場合に、複数のアンテナ要素は一つのＣＳＩ−ＲＳポート上にマッピングされる。さらに、最大３２個のＣＳＩ−ＲＳポートはＲｅｌ．１４ＬＴＥでサポートされるだろう。５Ｇのような次世代セルラーシステムの場合、ＣＳＩ−ＲＳポートの最大数は多少同一に維持されることで予想される。
【００５７】
ｍｍＷａｖｅ帯域の場合、アンテナ要素の数が与えられたフォーム係数(ｆｏｒｍ ｆａｃｔｏｒ)に対してより大きくなることもあるが、デジタルプリコーディングされたポートの数に相応するＣＳＩ−ＲＳポートの数は図４の実施形態４００に示されたように(ｍｍＷａｖｅ周波数で多くの数のＡＤＣ／ＤＡＣを設置する可能性のような)ハードウェア制約によって制限されるきらいがある。この場合に、一つのＣＳＩ−ＲＳポートはアナログ位相シフター４０１のバンク(ｂａｎｋ)によって制御されることができる複数のアンテナ要素でマッピングされる。その後、一つのＣＳＩ−ＲＳポートはアナログビームフォーミング４０５を介して狭いアナログビームを生成する一つのサブアレイに相応することができる。このようなアナログビームはシンボル又はサブフレーム又はスロットにかけて位相シフターバンクを変化させることによってより広い範囲の角度４２０にかけてスイーピングするように設定されることができる。サブアレイの数(ＲＦチェーンの数と同一)はＣＳＩ−ＲＳポートの数ＮＣＳＩ−ＰＯＲＴと同一である。デジタルビームフォーミングユニット４１０はプリコーディング利得をさらに増加させるためにＮＣＳＩ−ＰＯＲＴアナログビームにかけて線形組み合せを行う。アナログビームは広帯域(したがって、周波数選択的ではない)であるが、デジタルプリコーディングは周波数サブバンド又はリソースブロックに掛けて変化されることができる。
【００５８】
ＵＥにはＤＬ ＣＳＩ測定及び報告のためにＣＳＩ−ＲＳが設定される。ＣＳＩ−ＲＳに対する割り当てユニットは非ゼロパワー(ｎｏｎ−ｚｅｒｏ−ｐｏｗｅｒ、ＮＺＰ)又はゼロパワー(ｚｅｒｏ−ｐｏｗｅｒ、ＺＰ)に相応することができるＣＳＩ−ＲＳリソースと指称されることができる。ＮＺＰ ＣＳＩ−ＲＳは主にチャンネル測定のために用いられるが、ＺＰ ＣＳＩ−ＲＳは干渉測定のために用いられる。５Ｇ ＮＲの場合、ＮＺＰ ＣＳＩ−ＲＳリソースは少なくともＣＳＩを導出するために測定されることができる周波数スパン(ｆｒｅｑｕｅｎｃｙ ｓｐａｎ)／時間期間(ｔｉｍｅ ｄｕｒａｔｉｏｎ)内のＲＥセットにマッピングされたＮＺＰ ＣＳＩ−ＲＳポートセットとして定義される。複数のＮＺＰ ＣＳＩ−ＲＳリソースはＣｏＭＰ、ビーム管理及びビームフォーミングが適用された(ｂｅａｍｆｏｒｍｅｄ)複数のＣＳＩ−ＲＳ基盤の動作をサポートするためにＵＥに設定されることができ、ここでそれぞれのＮＺＰ ＣＳＩ−ＲＳリソースは相違する数のＣＳＩ−ＲＳポートを有することができる。割り当られたＣＳＩ−ＲＳを測定する時、ＵＥはＤＬ ＣＳＩを計算してｇＮＢ／ネットワークに報告する。ｇＮＢ／ネットワークはＤＬリンク適応及びスケジューリング(ＤＬ ｌｉｎｋ ａｄａｐｔａｔｉｏｎ ａｎｄ ｓｃｈｅｄｕｌｉｎｇ)のために報告されたＤＬ ＣＳＩを用いる。
【００５９】
同様に、ＵＥにはＵＬ ＣＳＩ測定のためにＳＲＳが設定される。ＳＲＳに対する割り当てユニットはＣＳＩ−ＲＳのように非ゼロパワー(ＮＺＰ)又はゼロパワー(ＺＰ)に相応することができるＳＲＳリソースに指称されることができる。ＮＺＰ ＳＲＳは主にチャンネル測定のために用いられるが、ＺＰ ＳＲＳは干渉測定のために用いられる。５Ｇ ＮＲの場合、ＮＺＰ ＳＲＳリソースは少なくともＣＳＩを導出するために測定されることができる周波数スパン／時間期間内のＲＥセットにマッピングされたＳＲＳポートセットとして定義される。複数のＳＲＳリソースはビーム管理及びビームフォーミングが適用された複数のＳＲＳ基盤の動作をサポートするためにＵＥに設定されることができ、ここでそれぞれのＳＲＳリソースは相違する数のＳＲＳポートを有することができる。ＵＥによって送信されたＳＲＳを測定する時、ｇＮＢ／ネットワークはＵＬ ＣＳＩを計算してＤＬリンク適応及びスケジューリングのためにこれを用いる。
【００６０】
ＤＬ−ＵＬ二重距離(ｄｕｐｌｅｘ ｄｉｓｔａｎｃｅ)が小さいＴＤＤ、半二重(ｈａｌｆ−ｄｕｐｌｅｘ)又はＦＤＤのような一部配置シナリオで、ＤＬ−ＵＬチャンネル相互性(ｃｈａｎｎｅｌ ｒｅｃｉｐｒｏｃｉｔｙ)(部分又は全体)が可能である。特に、全体ＤＬ−ＵＬチャンネル相互性が利用可能である時、これはＤＬ及びＵＬのいずれも対してＣＳＩ獲得を改善するのに用いられることができる。ここで、ＣＳＩ−ＲＳとＳＲＳの同時利用が有利である。さらに、(設定だけではなくＣＳＩ測定、計算及び／又は報告手続きを含む)共同ＣＳＩ−ＲＳ／ＳＲＳ動作はＣＳＩ正確度でより効率的な利用及び改善を容易くする。
【００６１】
したがって、ＤＬ／ＵＬ ＣＳＩ獲得のためにＣＳＩ−ＲＳとＳＲＳの間の共同活用の改善ができるようにする手続きの設計に対する他の必要性がある。
【００６２】
表１は、ＵＥにＣＳＩ−ＲＳ及びＳＲＳが設定される４つのシナリオを要約する。ケースＩ及びＩＩはそれぞれＤＬ及びＵＬ ＣＳＩ獲得に対する一般的なシナリオである。ケースＩの場合、ＣＳＩ−ＲＳだけが用いられる一方に、ケースＩＩの場合にはＳＲＳだけが用いられる。ケースＩＩＩはＤＬ−ＵＬチャンネル相互性が利用可能で、ＵＥにＳＲＳが設定されることでｇＮＢがＵＬ ＣＳＩを改善するためにＳＲＳを測定することができる時に用いられることができる。ここで、ＤＬとＵＬ干渉プロファイルは通常的にＤＬ−ＵＬチャンネル相互性が維持される場合にも相互的ではないのでＳＲＳだけでは一般的に不十分である。したがって、ＣＳＩ−ＲＳとＳＲＳの共同活用が必要である。例えば、ＵＥからのＣＳＩレポート(ｒｅｐｏｒｔ)はＳＲＳを介して測定されたチャンネルと共に用いられることができる。ケースＩＶはＤＬ−ＵＬチャンネル相互性が利用可能で、ＵＥにＣＳＩ−ＲＳが設定されることでＵＥがＵＬ ＣＳＩ獲得を改善するためにＣＳＩ−ＲＳを測定することができる時に用いられることができる。類似に、ＤＬとＵＬ干渉プロファイルは通常的にＤＬ−ＵＬチャンネル相互性が維持される場合にも相互的ではないのでＣＳＩ−ＲＳだけでは一般的に不十分である。したがって、ＣＳＩ−ＲＳとＳＲＳの共同活用が必要である。例えば、関連するＵＬ関連ＤＣＩ(送信(ｔｒａｎｓｍｉｔ)ＰＭＩ及びＲＩ)からのプリコーディング情報はＵＬプリコーディングを改善するためにＣＳＩ−ＲＳを介して測定されたチャンネルと共に用いられることができる。
【００６３】
【表１】
2020516186.tif 000003
【００６４】
ケースＩＩＩとＩＶの場合、具現基盤方式が用いられることができるが、ＣＳＩ−ＲＳとＳＲＳを共同で設定するための一部制限及び手続きが有利することができる。
【００６５】
本開示は、以下の構成要素を含む。本発明の第１構成要素はＳＲＳサポートＤＬ ＣＳＩ獲得に係る(ケースＩＩＩ参照)。第２構成要素はＣＳＩ−ＲＳサポートＵＬ ＣＳＩ獲得に係る(ケースＩＶ参照)。このような構成要素のそれぞれは自体的に(他の構成要素無し)又は他の構成要素のうちの少なくとも一つと共に用いられることができる。同様に、このような構成要素のそれぞれは複数の下位構成要素を含む。それぞれの下位構成要素は自体的に(任意の他の下位構成要素無し)又は他の下位構成要素のうちの少なくとも一つと共に用いられることができる。
【００６６】
ＳＲＳだけでなくＣＳＩ−ＲＳの３つの時間ドメイン動作である周期的(Ｐ)、半永久的(ＳＰ)及び非周期的(ＡＰ)が考慮される。
【００６７】
実施形態の説明のために、ＮＲ ＣＳＩフレームワークは本開示全般にわたって用いられる。ＵＥはＮ≧１ＣＳＩ報告セッティング(ＣＳＩ Ｒｅｐｏｒｔｉｎｇ Ｓｅｔｔｉｎｇｓ)、Ｍ≧１リソースセッティング(Ｒｅｓｏｕｒｃｅ Ｓｅｔｔｉｎｇｓ)、及び測定セッティング(Ｍｅａｓｕｒｅｍｅｎｔ Ｓｅｔｔｉｎｇｓ)と設定されることができ、ここで測定セッティングはＬ≧１リンク(ｌｉｎｋｓ)を含む。それぞれのリンクはＣＳＩ報告セッティング及びリソースセッティングを関連付けるだけでなく、測定量(ｍｅａｓｕｒｅｍｅｎｔ ｑｕａｎｔｉｔｙ)(チャンネル又は干渉のうちの一つ)のような他の特徴を設定する。チャンネル／干渉測定制限はリンク又はＣＳＩ報告セッティング又はリソースセッティングに含まれることができる。ＣＳＩ報告セッティングは一つ以上のリソースセッティングとリンク(ｌｉｎｋ)されることができる。同様に、リソースセッティングは一つ以上のＣＳＩ報告セッティングとリンクされることができる。
【００６８】
次の構成要素及び実施形態のうちの全部又は少なくとも一つはＣＰ−ＯＦＤＭ(ｃｙｃｌｉｃ ｐｒｅｆｉｘ ＯＦＤＭ)波形だけではなくＤＦＴ−ＳＯＦＤＭ(ＤＦＴ−ｓｐｒｅａｄ ＯＦＤＭ)及びＳＣ−ＦＤＭＡ(ｓｉｎｇｌｅ−ｃａｒｒｉｅｒ ＦＤＭＡ)波形での送信に適用可能である。さらに、次の構成要素及び実施形態のうちの全部又は少なくとも一つは時間的でのスケジューリングユニットが一つのサブフレーム(一つ又は複数のスロットを含むことができる)であるか一つのスロットである時に送信に適用可能である。
【００６９】
第１構成要素(すなわち、ＳＲＳサポートＤＬ ＣＳＩ獲得)の場合、ＣＳＩ−ＲＳはＵＥでＤＬチャンネル及びＤＬ干渉測定に用いられることができ、ここでＵＥはＣＳＩ−ＲＳ(ＮＺＰ 又はＺＰ、又は２つのいずれか一つ)を介してチャンネル及び干渉を測定し、ＣＳＩを計算し、ＣＳＩをｇＮＢ／ネットワークに報告する。これはＵＥがビーム報告(例えば、ＲＳＲＰ及び他のビーム関連情報)を計算して報告するビーム管理(ｂｅａｍ ｍａｎａｇｅｍｅｎｔ、ＢＭ)にも適用される。したがって、ＤＬ ＣＳＩはＣＳＩ／ＢＭ報告を介してｇＮＢによって獲得される。ＤＬ−ＵＬチャンネル相互性ができる時、ＳＲＳはＤＬチャンネル測定を向上させるため(例えば、より高いチャンネル測定分解能(ｃｈａｎｎｅｌ ｍｅａｓｕｒｅｍｅｎｔ ｒｅｓｏｌｕｔｉｏｎ)を提供するため)用いられることができる。ここで、ＵＥはｇＮＢ／ネットワークによって測定されるＳＲＳを送信するように設定される。チャンネル相互性によって、ＳＲＳを介して測定されたＵＬチャンネルは関連するＤＬチャンネルの良好な近似値(ｇｏｏｄ ａｐｐｒｏｘｉｍａｔｉｏｎ)を提供することができる。したがって、ＵＥはＤＬチャンネル獲得のためにＣＳＩ−ＲＳ及びＳＲＳと設定されることができる。
【００７０】
次の実施形態はＤＬチャンネル獲得のためにＣＳＩ−ＲＳ及びＳＲＳのいずれもを有するＵＥを設定するのに用いられることができる一部手続きを含む。それぞれの実施形態は少なくともＵＥがＤＬチャンネル／干渉測定、ＣＳＩ−ＲＳ／ＳＲＳタイミング関係及びＤＬ ＣＳＩ計算のために仮定することができるＣＳＩ−ＲＳとＳＲＳ間のリンク(ｌｉｎｋａｇｅ)を含む。
【００７１】
一実施形態(Ｉ．Ａ)で、ＣＳＩ報告セッティングは一つがＣＳＩ−ＲＳに対することで、他の一つがＳＲＳに対することである少なくとも２個のリソースセッティングとリンクされる。このような２個のリソースセッティングの場合、ＳＲＳポートの数はＵＥ ＲＸポートの数と同一にセッティングされることができる。複数のリソースセッティングが一つのＣＳＩ報告セッティングとリンクされる場合に次の下位実施形態のうちの少なくとも一部が用いられることができる。
【００７２】
第１下位実施形態(方式１)で、第１リソースセッティングはＮＺＰ ＣＳＩ−ＲＳに対して設定され、ＤＬチャンネル及びＤＬ干渉測定の２つとものために用いられる。第２リソースセッティングは(ＮＺＰ)ＳＲＳに対して設定され、(ＵＬチャンネルのｇＮＢ／ネットワーク測定を介して)ＤＬチャンネル測定に用いられる。第２下位実施形態(方式２)で、第１リソースセッティングはＮＺＰ ＣＳＩ−ＲＳに対して設定され、ＤＬ干渉測定のために用いられる。第２リソースセッティングは(ＮＺＰ)ＳＲＳに対して設定され、(ＵＬチャンネルのｇＮＢ／ネットワーク測定を介して)ＤＬチャンネル測定に用いられる。第３下位実施形態(方式３)で、第１リソースセッティングはＺＰ ＣＳＩ−ＲＳに対して設定され、ＤＬ干渉測定のために用いられる。第２リソースセッティングは(ＮＺＰ)ＳＲＳに対して設定され、(ＵＬチャンネルのｇＮＢ／ネットワーク測定を介して)ＤＬチャンネル測定に用いられる。第４下位実施形態(方式４)で、少なくとも３個のリソースセッティングが用いられることができる。第１リソースセッティングはＮＺＰ ＣＳＩ−ＲＳに対して設定され、ＤＬチャンネル測定のために用いられる。第２リソースセッティングは(ＮＺＰ)ＳＲＳに対して設定され、(ＵＬチャンネルのｇＮＢ／ネットワーク測定を介して)ＤＬチャンネル測定に用いられる。第３リソースセッティングはＤＬ干渉測定のためにＺＰ ＣＳＩ−ＲＳ、又はＮＺＰ ＣＳＩ−ＲＳ、又はＤＬ ＤＭＲＳのうちのいずれか一つに対して設定される。
【００７３】
方式１及び方式４の場合、２つのリソースセッティング(したがって、２つのタイプのリソース：ＣＳＩ−ＲＳ及びＳＲＳ)がＤＬチャンネル測定のために用いられる。これはＵＥが(ＮＺＰ ＣＳＩ−ＲＳで)第１リソースセッティングを測定し、これに基づいて(方式４に対するＤＬ干渉測定のための他のリソースで)ＣＳＩ報告を計算することができることを意味することができる。同時に、ＵＥはＤＬ ＣＳＩ獲得でｇＮＢ／ネットワークを助けるためにＳＲＳを送信する(ここで、ｇＮＢ／ネットワークはリンク適応及びスケジューリングのためにＳＲＳの測定と共にＣＳＩレポートを用いることができる)。
【００７４】
本実施形態の上述した下位実施形態に対して、(一つ以上のＳＲＳリソースを含むことができる)ＳＲＳリソース設定を含むリソースセッティングで、(ＵＬ ＣＳＩ獲得と対照的に)ＤＬ ＣＳＩ獲得のための使用を示すパラメーター(例示的な目的のために本開示で‘Ｆｕｎｃｔｉｏｎ'と指称される)が用いられることができる。このようなパラメーターは‘ＤＬ ＣＳＩ'又は‘ＵＬ ＣＳＩ'のような２つの値を取ることができる。ＳＲＳが(ＤＬ ＣＳＩ獲得のために)このように設定される時、(ＵＥによって)ＳＲＳに適用されたＴＸ(送信)プリコーディングは(ＤＬ送信を受信するため)ＵＥ ＲＸポートに適用されたＲＸ(受信)プリコーディングと同一しなければならない(又は少なくともマッチングしなければならない)。ここで、(一つのリソースセッティングでの)このようなＳＲＳと(他のリソースセッティングでの)設定されたＣＳＩ−ＲＳのうちのどんなタイプのＱＣＬ／相応関係(ｃｏｒｒｅｓｐｏｎｄｅｎｃｅ)が用いられることができる。ＣＳＩ−ＲＳとＳＲＳ間のこのような相応関係はパラメーター‘Ｆｕｎｃｔｉｏｎ'の一部であるか、ここに付加することができるか別個に設定されることができる。設定されたＣＳＩ−ＲＳがＫ＞１個のリソースを含む場合、ＳＲＳリソースの数はさらにＫ＞１個のリソースを含むことができるということを注目し、ここでＫ個のＣＳＩ−ＲＳリソースのそれぞれはＫ個のＳＲＳリソースのうちの一つに相応する。この場合に、相応関係はＫ個のリンクを含む。選択的に、ＳＲＳリソースＫ'≧１の数は必ずＫと同一な必要はない。この場合に、Ｋ'≧１個のＳＲＳリソースとＫ＞１個のＣＳＩ−ＲＳリソースの間の相応関係がさらに設定されることができる。このような設定された相応関係は、例えば、非周期的ＣＳＩ−ＲＳ及び非周期的ＳＲＳに用いられることができる。このような相応関係はＣＳＩ−ＲＳ及びＳＲＳの共同トリガリングが容易にすることができる(Ｌ１ ＤＬ制御チャンネルを介して動的に行われる)。この場合に、このような相応関係は共同トリガリングのためのＤＣＩフィールドのコードポイントとＳＲＳリソースインデックス(このそれぞれはＣＳＩ−ＲＳリソースインデックスに相応する)間のマッピングであることができる。このような相応関係情報は上位階層(例えば、ＲＲＣ)シグナリング又はＭＡＣ ＣＥ(制御要素)を介してシグナリングされることができる。
【００７５】
ＳＲＳリソース設定の側面で、少なくとも時間ドメイン動作に係る以下のようなメカニズムが適切である。
【００７６】
第１メカニズムで、Ｐ／ＳＰ−ＣＳＩ−ＲＳ及びＰ／ＳＰ−ＳＲＳがこのように設定される時(４つの可能な組み合せ：Ｐ−ＣＳＩ−ＲＳ＋Ｐ−ＳＲＳ、Ｐ−ＣＳＩ−ＲＳ＋ＳＰ−ＳＲＳ、ＳＰ−ＣＳＩ−ＲＳ＋Ｐ−ＳＲＳ、及びＳＰ−ＣＳＩ−ＲＳ＋ＳＰ−ＳＲＳ)、このようなＣＳＩ−ＲＳ及びＳＲＳの(スロット／サブフレームオフセット及び周期を含む)サブフレーム設定又はスロット設定(ｓｕｂｆｒａｍｅＣｏｎｆｉｇｕｒａｔｉｏｎ ｏｒ ｓｌｏｔＣｏｎｆｉｇｕｒａｔｉｏｎ)との関係が活用されることができる。例えば、ＳＲＳ周期はＣＳＩ−ＲＳ周期の整数の倍と同一にセッティングされることができるが、ＳＲＳスロット／サブフレームオフセットはＣＳＩ−ＲＳスロット／サブフレームオフセットに対して定義されることができる。
【００７７】
ＳＰ−ＣＳＩ−ＲＳ及びＳＰ−ＳＲＳが設定される時、ＳＰ−ＳＲＳはＳＰ−ＣＳＩ−ＲＳと同一な活性化／非活性化を共有することができる。同一な活性化／非活性化を共有することはＳＰ−ＣＳＩ−ＲＳとＳＰ−ＳＲＳをいずれも活性化するか非活性化するために一つのリソース活性化／非活性化メッセージを用いることを指称する。このようなメッセージは(ＤＬ関連又はＵＬ関連ＤＣＩのうちのいずれか１つを用いて)ＭＡＣ ＣＥ(制御要素)又はＬ１ ＤＬ制御シグナリングを介してＵＥにシグナリングされることができる。活性化メッセージがスロット／サブフレームｎでＵＥにより受信される時、ＵＥはスロット／サブフレームｎ＋Ｄ１(Ｄ１は明示されたり上位階層シグナリングを介して設定されたりＬ１ ＤＬ制御シグナリングを介してシグナリングされることができる)から始めると仮定することができ、ＵＥはＣＳＩ−ＲＳを用いたリソースセッティングで与えられた(リソースインデックス、周期、スロット／サブフレームオフセットを含む)設定情報でＣＳＩ−ＲＳを測定するだけでなく、ＳＲＳを用いたリソースセッティングで与えられた(リソースインデックス、周期、スロット／サブフレームオフセットを含む)設定情報でＳＲＳを送信することができる。同様に、非活性化メッセージがＵＥによりスロット／サブフレームｎで受信される時、ＵＥはスロット／サブフレームｎ＋Ｄ２(Ｄ２は明示されたり上位階層シグナリングを介して設定されたりＬ１ ＤＬ制御シグナリングを介してシグナリングされることができる)から始めると仮定することができ、ＵＥはＣＳＩ−ＲＳを用いたリソースセッティングで与えられた(リソースインデックス、周期、スロット／サブフレームオフセットを含む)設定情報でＣＳＩ−ＲＳ測定を中止するだけでなく、ＳＲＳを用いたリソースセッティングで与えられた(リソースインデックス、周期、スロット／サブフレームオフセットを含む)設定情報でＳＲＳ送信を中止することができる。ＣＳＩ−ＲＳ及びＳＲＳリソース設定が一般的に同じではないので、活性化／非活性化メッセージは一つがＣＳＩ−ＲＳに対するので、他の一つがＳＲＳに対するのである２個のリソース設定フィールドを含むことができる。
【００７８】
Ｋ＞１個のリソースがＣＳＩ−ＲＳに対して設定される場合、活性化／非活性化メッセージの設定フィールドはさらにＫ個のリソースのＮ−サブセット選択(１≦Ｎ≦Ｋ)を含むことができる。同様に、Ｋ’＞１個のリソースがＳＲＳに対して設定される場合、活性化／非活性化メッセージの設定フィールドはさらにＫ’個のリソースのＮ’−サブセット選択(１≦Ｎ’≦Ｋ’)を含むことができる。Ｎ及びＮ'の値は上位階層シグナリング又はＭＡＣ ＣＥ(活性化メッセージから明示的又は暗示的に推論される)を介して設定されることができる。
【００７９】
以前段落の実施形態はさらにＫ＞１個のＣＳＩ−ＲＳリソースの代りにＳ＞１個のＣＳＩ−ＲＳリソースセットに適用されることができる。又はＫ’＞１個のＳＲＳリソースの代りにＳ'＞１個のＳＲＳリソースグループにも適用されることができる。
【００８０】
このようなメカニズムはＵＥがＤＬ干渉測定のために他のリソースセッティングを介して他のＣＳＩ−ＲＳ(方式４のようなＮＺＰ又はＺＰ)と設定される時拡張されることができる。この場合に、活性化／解除(ｒｅｌｅａｓｅ)メッセージはまた他のＣＳＩ−ＲＳに関する設定情報を含む。
【００８１】
図５のダイヤグラム５００はＵＥがＫ＞１個のリソースを有するＳＰ−ＣＳＩ−ＲＳ及びＫ'＞１個のリソースを有するＳＰ−ＳＲＳと設定される時の共同活性化／非活性化メカニズムを示す。ＵＥがＳＰ−ＣＳＩ−ＲＳリソースサブセット１及びＳＰ−ＳＲＳリソースサブセット１を示す活性化メッセージを受信する時(５０１)、(明示されたり設定されたりした)特定遅延後に、ＵＥはＳＰ−ＣＳＩがＳＰ−ＣＳＩ−ＲＳリソースサブセット１に関連したＳＰ−ＣＳＩ−ＲＳに基づいて計算され、ＳＰ−ＳＲＳリソースサブセット１に関連したＳＰ−ＳＲＳがＳＰ−ＣＳＩ報告と同一なスロット／サブフレームで送信されると仮定する。その後、このようなサブセットはＵＥが異なる活性化メッセージを受信する時(５０２)、ＳＰ−ＣＳＩ−ＲＳ サブセット２及びＳＰ−ＳＲＳサブセット２で取り替えられる。順番で、その後、このようなサブセットはＵＥが異なる活性化メッセージを受信する時(５０３)、ＳＰ−ＣＳＩ−ＲＳサブセット３及びＳＰ−ＳＲＳサブセット３で取り替えられる。
【００８２】
第２メカニズムで、ＡＰ−ＣＳＩ−ＲＳ及びＡＰ−ＳＲＳがこのように設定される時、同一なＤＣＩは同一なスロット／サブフレームでＡＰ−ＣＳＩ−ＲＳが存在する場合、ＡＰ−ＳＲＳ送信だけではなくＡ−ＣＳＩ報告をトリガリングするために用いられる。したがって、ＵＥがスロット／サブフレームｎで(Ａ−ＣＳＩ報告のためのリクエストを暗示する)ＯＮでＣＳＩリクエストフィールドを含むＵＬ関連又はＤＬ関連ＤＣＩを受信する時、ＵＥはＡ−ＣＳＩを報告し、スロット／サブフレームｎ＋Ｄ３(Ｄ３は明示されたり上位階層シグナリングを介して設定されたりＬ１ ＤＬ制御シグナリングを介してシグナリングされることができる)からＡＰ−ＳＲＳを送信するだろう。したがって、ｇＮＢ／ネットワークは同一なスロット／サブフレームでＡ−ＣＳＩ報告及びＡＰ−ＳＲＳ送信をいずれも受信する。
【００８３】
ＡＰ−ＣＳＩ−ＲＳ及びＡＰ−ＳＲＳのいずれもが複数のリソースに設定される時(Ｋ＞１個のリソースはＣＳＩ−ＲＳに対して設定され、Ｋ'＞１個のリソースはＳＲＳに対して設定される)、ＡＰ−ＳＲＳはＡＰ−ＣＳＩ−ＲＳと同一な活性化を共有することができる。同一な活性化を共有することはＡＰ−ＣＳＩ−ＲＳに対してＫ個のリソースのＮ−サブセット選択１≦Ｎ≦Ｋ)とＡＰ−ＳＲＳに対してＫ’個のリソースのＮ’−サブセット選択１≦Ｎ’≦Ｋ’)２つともを行うために一つのリソース活性化メッセージを用いることを指称する。このようなメッセージは(ＤＬ関連又はＵＬ関連ＤＣＩのうちのいずれか一つを用いて)ＭＡＣ ＣＥ(制御要素)又はＬ１ ＤＬ制御シグナリングを介してＵＥにシグナリングされることができる。活性化メッセージがスロット／サブフレームｎでＵＥにより受信される時、ＵＥはスロット／サブフレームｎ＋Ｄ４(Ｄ１は明示されたり上位階層(例えば、ＲＲＣ)シグナリングを介して設定されたりＬ１ ＤＬ制御シグナリングを介してシグナリングされることができる)から始めると仮定することができ、(活性化メッセージで)リソース選択情報に示されたＡＰ−ＣＳＩ−ＲＳリソースのＮ−サブセット及びＡＰ−ＳＲＳリソースのＮ’−サブセットが選択される。ＣＳＩ−ＲＳ及びＳＲＳリソース設定は一般的に同じではないので、活性化／非活性化メッセージは一つがＣＳＩ−ＲＳに対することで、他の一つがＳＲＳに対することである２個のリソース設定フィールドを含むことができる。
【００８４】
以前段落の実施形態はさらにＫ＞１個のＣＳＩ−ＲＳリソースの代りにＳ＞１個のＣＳＩ−ＲＳリソースセットに適用されることができる。又はＫ'＞１個のＳＲＳリソースの代りにＳ'＞１個のＳＲＳリソースグループにも適用されることができる。
【００８５】
図６のダイヤグラム６００はＵＥがＫ＞１個のリソースを有するＡＰ−ＣＳＩ−ＲＳ及びＫ'＞１個のリソースを有するＡＰ−ＳＲＳに設定される時の共同活性化／非活性化メカニズムを示す。ＵＥがＡＰ−ＣＳＩ−ＲＳリソースサブセット１及びＡＰ−ＳＲＳリソースサブセット１を示す活性化メッセージを受信する時(５０１)、(明示されたり設定されたりした)特定遅延後に、ＵＥはＡＰ−ＣＳＩ−ＲＳリソースサブセット１及びＡＰ−ＳＲＳリソースサブセット１が選択されると仮定する。その後、このようなサブセットはＵＥが異なる活性化メッセージを受信する時(６０２)、ＡＰ−ＣＳＩ−ＲＳサブセット２及びＡＰ−ＳＲＳサブセット２で取り替えられる。順番で、その後、このようなサブセットはＵＥが異なる活性化メッセージを受信する時(６０３)、ＡＰ−ＣＳＩ−ＲＳサブセット３及びＡＰ−ＳＲＳサブセット３で取り替えられる。
【００８６】
Ｎ及びＮ'の値は上位階層シグナリング又はＭＡＣ ＣＥ(活性化メッセージから明示的又は暗示的に推論される)を介して設定されることができる。Ｎ＞１及び／又はＮ'＞１の場合、ＣＳＩリクエストフィールドには拡張されたりＮ個のＡＰ−ＣＳＩ−ＲＳリソースのうちのいずれか１つ及び／又はＮ'個のＡＰ−ＳＲＳリソースのうちのいずれか一つを選択するためのある付加的な情報が伴うことができる。このような選択はＣＳＩリクエストフィールドを含む同一なＤＣＩを用いるか、他のメカニズム(例えば、特にＵＥが複数の構成要素キャリア(ｃｏｍｐｏｎｅｎｔ ｃａｒｒｉｅｒ)と設定される時のＭＡＣ ＣＥを介して)を用いて行われることができる。
【００８７】
図７のダイヤグラム７００はＵＥがＡＰ−ＣＳＩ−ＲＳ及びＡＰ−ＳＲＳの２つともに設定される時の共同リソース活性化及びＡ−ＣＳＩ報告メカニズムの例示的な使用を示し、ここでｇＮＢは上述したメカニズム２で説明されたようにリソース活性化メッセージを送信する(７１０)。このようなメッセージはＵＥによって受信されて成功的にデコーディングされる(７３０)。このようなメッセージがＡＰ−ＣＳＩ−ＲＳリソースサブセット１及びＡＰ−ＳＲＳリソースサブセット１の選択を示すことによって、ＵＥは受信されたＡＰ−ＣＳＩ−ＲＳ及び送信されたＡＰ−ＳＲＳが共同活性化メッセージによって示されたリソースサブセットを基づくと仮定する(特定遅延後に、明示されたり設定されたりする)。ｇＮＢがＵＬ関連ＤＣＩを介してＵＥからＡ−ＣＳＩ報告をリクエストする時(７２０)、これはＡＰ−ＣＳＩ−ＲＳリソースサブセット１からの選択に基づいてＡＰ−ＣＳＩ−ＲＳを送信する(Ｎ個のリソースからの追加の選択は予め設定されたり、別個のメカニズムを介して動的にシグナリングされたり、同一なＤＣＩを用いて動的にシグナリングされることができる)。ＵＥがこのようなＵＬ関連ＤＣＩを受信する時、これは送信されたＡＰ−ＣＳＩ−ＲＳを測定する(７４０)。その次、ＵＥは計算されたＡ−ＣＳＩを報告し、活性化メッセージに示されたＡＰ−ＳＲＳリソースサブセット１に基づいて同一なスロット／サブフレームでＡＰ−ＳＲＳを送信する(７５０)。
【００８８】
第２構成要素(ＣＳＩ−ＲＳサポートＵＬ ＣＳＩ獲得)の場合、ＳＲＳはｇＮＢ／ネットワークでＵＬチャンネル及びＵＬ干渉測定に用いられることができ、ここでｇＮＢ／ネットワークはＳＲＳ(ＮＺＰ又はＺＰ、又は２つともいずれか１一つ)を介してチャンネル及び干渉を測定し、ＵＬ ＣＳＩを計算し、これをリンク適応及びスケジューリングに活用する。したがって、ＵＬ ＣＳＩはＳＲＳ測定を介してｇＮＢによって獲得される。このようなＵＬ ＣＳＩ獲得から、ＵＥはＭＣＳ、送信ＰＭＩ及び／又は送信ＲＩのようなＵＬ送信パラメーターを含むＵＬ関連ＤＣＩを介してＵＬグラント(ＵＬ ｇｒａｎｔ)を割り当てられる。ＤＬ−ＵＬチャンネル相互性ができる時、ＣＳＩ−ＲＳは(例えば、ＵＥでより高いＵＬチャンネル測定分解能を提供するため)ＵＬチャンネル測定を向上させるのに用いられることができる。ここで、ＵＥはＵＥにより測定されるＣＳＩ−ＲＳを受信するように設定される。チャンネル相互性でよって、ＣＳＩ−ＲＳを介して測定されたＤＬチャンネルは関連するＵＬチャンネルの良好な近似値を提供することができる。これは、例えば(ＵＥが相変らずｇＮＢによってシグナリングされるＴＲＩによるうちに)ＴＰＭＩによって与えられた分解能以上でＵＥ ＵＬプリコーディングを改善することができる。したがって、ＵＥはＵＬチャンネル獲得のためにＵＥをＣＳＩ−ＲＳ及びＳＲＳと設定されることができる。
【００８９】
次の実施形態はＵＬチャンネル獲得のためにＣＳＩ−ＲＳ及びＳＲＳのいずれもがＵＥに設定されるのに用いられることができる一部手続きを含む。それぞれの実施形態は少なくともＵＥがＵＬチャンネル／干渉測定、ＣＳＩ−ＲＳ／ＳＲＳタイミング関係及びＵＬ ＣＳＩ計算のために仮定することができるＣＳＩ−ＲＳとＳＲＳの間のリンクを含む。次の実施形態は一部他のＵＥ特定セッティングに係って動作することができる。例えば、ＵＥが特定ＵＬ送信方式又はモード(例えば、非−コードブック基盤ＵＬ送信(ｎｏｎ−ｃｏｄｅｂｏｏｋ−ｂａｓｅｄ ＵＬ ｔｒａｎｓｍｉｓｓｉｏｎ)又は非−ＰＭＩ／ＴＰＭＩ ＵＬ関連ＤＣＩ(ｎｏ−ＰＭＩ／ＴＰＭＩ ＵＬ−ｒｅｌａｔｅｄ ＤＣＩ)のために設定される時、ＵＥはさらにＵＬ ＣＳＩ獲得(又は一般的にＵＬ送信)のためにＣＳＩ−ＲＳを測定するために設定されることができる。これにより、ＵＥがこのように動作するように設定するための何種類設定可能性が存在する：１)ＵＬ送信方式はＰＭＩ又はＴＰＭＩ無しに動作するようにセッティングされ、ＣＳＩ−ＲＳ 受信／測定はＯＮで；２)ＵＬ送信方式はＰＭＩ又はＴＰＭＩ無しに動作するようにセッティングされ；３)ＵＬ送信方式設定の存在と無関係にＣＳＩ−ＲＳ受信／測定はＯＮで；４)一つのセットのＣＳＩ−ＲＳリソース又は一つのＣＳＩ−ＲＳリソースはＵＥに対して設定され、一つ以上の設定されたＳＲＳリソース(例えば、上位階層シグナリングを介して設定された相応関係)とリンクされる。このような設定は上位階層シグナリング(Ｌ２又はＬ３)又はＬ１ ＤＬ制御チャンネル(したがって、動的スイッチングの可能性がある)を介して行われることができる。
【００９０】
一実施形態(ＩＩ．Ａ)で、設定されたＣＳＩ−ＲＳポートの数はｇＮＢ ＲＸ(受信)ポートの数と同一にセッティングされることができる。選択的に、ＣＳＩ−ＲＳリソース設定内で、(ＤＬ ＣＳＩ獲得と対照的に)ＵＬ ＣＳＩ獲得のための使用を示す本開示における‘Ｆｕｎｃｔｉｏｎ'で指称されたパラメーターが用いられることができる。このようなパラメーターは‘ＤＬ ＣＳＩ'又は‘ＵＬ ＣＳＩ'のような２つの値を取ることができる。ＣＳＩ−ＲＳが(ＵＬ ＣＳＩ獲得のために)このように設定される時、(ｇＮＢによって)ＣＳＩ−ＲＳに適用されたＴＸ(送信)プリコーディングは(ＵＬ送信を受信するため)ｇＮＢ ＲＸポートに適用されたＲＸ(受信)プリコーディングと同一しなければならない(又は少なくともマッチングしなければならない)。ここで、このようなＳＲＳと設定されたＣＳＩ−ＲＳうちのどんなタイプのＱＣＬ／相応関係も用いられることができる。このような相応関係はパラメーター‘Ｆｕｎｃｔｉｏｎ'の一部であるここに付加することができる。設定されたＣＳＩ−ＲＳがＫ＞１個のリソースを含む場合、ＳＲＳリソースの数はさらにＫ＞１個のリソースを含むことができるということを注目し、ここでＫ個のＣＳＩ−ＲＳリソースのそれぞれはＫ個のＳＲＳリソースのうちのいずれか一つに相応する。この場合に、相応関係はＫ個のリンクを含む。選択的に、ＳＲＳリソースＫ'≧１の数は必ずＫと同一な必要はない。この場合に、Ｋ'≧１個のＳＲＳリソースとＫ＞１個のＣＳＩ−ＲＳリソースの間の相応関係がさらに設定される必要がある。
【００９１】
以前段落の実施形態はさらにＫ＞１個のＣＳＩ−ＲＳリソースの代りにＳ＞１個のＣＳＩ−ＲＳリソースセットに適用されることができる。又はＫ'＞１個のＳＲＳリソースの代りにＳ'＞１個のＳＲＳリソースグループにも適用されることができる。
【００９２】
ＳＲＳリソース設定の側面で、少なくとも時間ドメイン動作に係る以下のようなメカニズムが適切である。
【００９３】
第１メカニズムで、Ｐ／ＳＰ−ＣＳＩ−ＲＳ及びＰ／ＳＰ−ＳＲＳがこのように設定される時(４つの可能な組み合せ：Ｐ−ＣＳＩ−ＲＳ＋Ｐ−ＳＲＳ、Ｐ−ＣＳＩ−ＲＳ＋ＳＰ−ＳＲＳ、ＳＰ−ＣＳＩ−ＲＳ＋Ｐ−ＳＲＳ、及びＳＰ−ＣＳＩ−ＲＳ＋ＳＰ−ＳＲＳ)、このようなＣＳＩ−ＲＳ及びＳＲＳの(スロット／サブフレームオフセット及び周期を含む)サブフレーム設定又はスロット設定(ｓｕｂｆｒａｍｅＣｏｎｆｉｇｕｒａｔｉｏｎ ｏｒ ｓｌｏｔＣｏｎｆｉｇｕｒａｔｉｏｎ)との関係が活用されることができる。例えば、ＣＳＩ−ＲＳ周期はＳＲＳ周期の整数の倍と同一にセッティングされることができるが、ＣＳＩ−ＲＳスロット／サブフレームオフセットはＳＲＳスロット／サブフレームオフセットに対して定義されることができる。
【００９４】
ＳＰ−ＣＳＩ−ＲＳ及びＳＰ−ＳＲＳが設定される時、ＳＰ−ＣＳＩ−ＲＳはＳＰ−ＳＲＳと同一な活性化／非活性化を共有することができる。同一な活性化／非活性化を共有することはＳＰ−ＣＳＩ−ＲＳとＳＰ−ＳＲＳを皆活性化したり非活性化したりするために一つのリソース活性化／非活性化メッセージを用いることを指称する。このようなメッセージは(ＤＬ関連又はＵＬ関連ＤＣＩのうちのいずれか一つを用いて)ＭＡＣ ＣＥ(制御要素)又はＬ１ ＤＬ制御シグナリングを介してＵＥにシグナリングされることができる。活性化メッセージがスロット／サブフレームｎでＵＥによって受信される時、ＵＥはスロット／サブフレームｎ＋Ｄ１(Ｄ１は明示されたり上位階層シグナリングを介して設定されたりＬ１ ＤＬ制御シグナリングを介してシグナリングされることができる)から始めると仮定することができ、ＵＥはＣＳＩ−ＲＳを用いたリソースセッティングで与えられた(リソースインデックス、周期、スロット／サブフレームオフセットを含む)設定情報でＣＳＩ−ＲＳを測定するだけでなく、ＳＲＳを用いたリソースセッティングで与えられた(リソースインデックス、周期、スロット／サブフレームオフセットを含む)設定情報でＳＲＳを送信することができる。同様に、非活性化メッセージがＵＥによりスロット／サブフレームｎで受信される時、ＵＥはスロット／サブフレームｎ＋Ｄ２(Ｄ２は明示されたり上位階層シグナリングを介して設定されたりＬ１ ＤＬ制御シグナリングを介してシグナリングされることができる)から始めると仮定することができ、ＵＥはＣＳＩ−ＲＳを用いたリソースセッティングで与えられた(リソースインデックス、周期、スロット／サブフレームオフセットを含む)設定情報でＣＳＩ−ＲＳ測定を中止するだけでなく、ＳＲＳを用いたリソースセッティングで与えられた(リソースインデックス、周期、スロット／サブフレームオフセットを含む)設定情報でＳＲＳ送信を中止することができる。ＣＳＩ−ＲＳ及びＳＲＳリソース設定が一般的に同じではないので、活性化／非活性化メッセージは一つがＣＳＩ−ＲＳに対することで、他の一つがＳＲＳに対することである２個のリソース設定フィールドを含むことができる。
【００９５】
Ｋ’＞１個のリソースがＳＲＳに対して設定される場合、活性化／非活性化メッセージの設定フィールドはさらにＫ’個のリソースのＮ’−サブセット選択１≦Ｎ’≦Ｋ’)を含むことができる。同様に、Ｋ＞１個のリソースがＣＳＩ−ＲＳに対して設定される場合、活性化／非活性化メッセージの設定フィールドはさらにＫ個のリソースのＮ−サブセット選択１≦Ｎ≦Ｋ)を含むことができる。Ｎ及びＮ'の値は上位階層シグナリング又はＭＡＣ ＣＥ(活性化メッセージから明示的又は暗示的に推論される)を介して設定されることができる。
【００９６】
以前段落の実施形態はさらにＫ＞１個のＣＳＩ−ＲＳリソースの代りにＳ＞１個のＣＳＩ−ＲＳリソースセットに適用されることができる。又はＫ'＞１個のＳＲＳリソースの代りにＳ'＞１個のＳＲＳリソースグループにも適用されることができる。
【００９７】
このようなメカニズムはＵＥがＵＬ干渉測定のために他のＳＲＳ(ＮＺＰ又はＺＰのうちのいずれか一つ)に設定される時に拡張されることができる。この場合に、活性化／解除メッセージはまた他のＳＲＳに関する設定情報を含む。このような共同活性化／非活性化メカニズムは構成要素Ｉに対したことと類似であるので、図５に示すこともできる。
【００９８】
以前の段落の実施形態はＮＺＰ(ｎｏｎ−ｚｅｒｏ ｐｏｗｅｒ)ＣＳＩ−ＲＳだけでなくＺＰ(ｚｅｒｏ ｐｏｗｅｒ)ＣＳＩ−ＲＳに適用されることができる。同様に、ＮＺＰ(ｎｏｎ−ｚｅｒｏ ｐｏｗｅｒ)ＳＲＳだけでなくＺＰ(ｚｅｒｏ ｐｏｗｅｒ)ＳＲＳに適用されることができる。
【００９９】
第２メカニズムで、ＡＰ−ＣＳＩ−ＲＳ及びＡＰ−ＳＲＳがこのように設定される時、同一なＤＣＩが同一なスロット／サブフレームにＡＰ−ＣＳＩ−ＲＳが存在する場合、ＡＰ−ＳＲＳ送信をトリガリングするために用いられる。したがって、一実施形態で、ＵＥがスロット／サブフレームｎで(Ａ−ＣＳＩ報告のためのリクエストを暗示する)ＯＮでＣＳＩリクエストフィールドを含むＵＬ関連又はＤＬ関連ＤＣＩを受信する時、ＵＥはＡ−ＣＳＩを報告し、スロット／サブフレームｎ＋Ｄ３(Ｄ３は明示されたり上位階層シグナリングを介して設定されたりＬ１ ＤＬ制御シグナリングを介してシグナリングされることができる)からＡＰ−ＳＲＳを送信し、ｇＮＢ／ネットワークは同一なスロット／サブフレームでＡ−ＣＳＩ報告及びＡＰ−ＳＲＳ送信をいずれも受信する。
【０１００】
このようなメカニズムの選択的な特徴として、ＵＥがＡＰ−ＳＲＳ送信のためのトリガー／リクエストを含むＵＬ関連又はＤＬ関連ＤＣＩを受信する時、ＡＰ−ＣＳＩ−ＲＳ送信は同一なＤＬスロット／サブフレームに存在することができる。このようなＡＰ−ＳＲＳトリガーには選択されたＣＳＩ−ＲＳリソース又はリソース設定のようなＡＰ−ＣＳＩ−ＲＳに対する一部情報を搬送するＤＣＩフィールドが伴うこともできる。このようなオプションの場合に、このようなメカニズムでＡＰ−ＣＳＩ−ＲＳのための目的の複数のＫ＞１個のＣＳＩ−ＲＳリソースはＵＥに対して設定されることができ、選択されたＣＳＩ−ＲＳリソースはＫ個の設定されたリソースから選択される。このような選択はＤＣＩフィールドを介して示されてシグナリングされる。
【０１０１】
選択的に、別個のＤＣＩフィールドを有する代りに、このようなＣＳＩ−ＲＳ情報はＡＰ−ＳＲＳトリガーの一部であってよい。
【０１０２】
選択的に、このようなメカニズムでＡＰ−ＣＳＩ−ＲＳのために設定されたＣＳＩ−ＲＳリソースは上位階層シグナリングを介して半静的に設定されることができる。このようなオプションの場合、このようなメカニズムでＡＰ−ＣＳＩ−ＲＳのための一つのＣＳＩ−ＲＳリソースだけがＵＥに対して設定されることができる。したがって、ＤＣＩ(Ｌ１制御シグナリング)を介してインディケーション(ｉｎｄｉｃａｔｉｏｎ)がシグナリングされる必要がない。
【０１０３】
選択的に、このようなメカニズムでＡＰ−ＣＳＩ−ＲＳのための複数のＫ＞１個の非ゼロパワー(ＮＺＰ)ＣＳＩ−ＲＳリソースはＵＥに対して設定されることができ、選択されたＣＳＩ−ＲＳリソース(すなわち、選択を示す状態)はＡＰ−ＳＲＳトリガリング／リクエスト状態に関連している。このような関連付けは上位階層シグナリング(例えば、ＲＲＣ)を介して半静的に又は動的に(例えば、ＭＡＣ ＣＥを介して)設定されることができる。このようなオプションの場合、このようなメカニズムでＡＰ−ＣＳＩ−ＲＳのためのＣＳＩ−ＲＳリソースの選択がＡＰ−ＳＲＳトリガリング状態(ｔｒｉｇｇｅｒｉｎｇ ｓｔａｔｅ)又はＤＣＩフィールドコードポイント(例えば、このようなメカニズムでＡＰ−ＳＲＳのためのＳＲＳリソースの選択)と暗示的に接続(関連付け)されている。
【０１０４】
選択的に、ＵＥがこのようなメカニズムでＡＰ−ＣＳＩ−ＲＳのために複数のＫ＞１個の非ゼロパワー(ＮＺＰ)ＣＳＩ−ＲＳリソースに設定され、ＵＥがさらにＫ'＞１個のＳＲＳリソースに設定される時、ＡＰ−ＳＲＳトリガリング状態とＮＺＰ ＣＳＩ−ＲＳリソースの間の関連付けはさらに予め定義された関連付け規則(ａｓｓｏｃｉａｔｉｏｎ ｒｕｌｅ)に基づいて決定されることができる。例えば、ＫはＫ'と同一にセッティングされることができ、第ｋ'ＳＲＳリソース(＝０，１，…，Ｋ'−１は第ｋ ＣＳＩ−ＲＳリソース(ｋ＝０，１，…，Ｋ−１)に関連付けられることができ、ここでｋ＝ｋ'である。他の例で、ＫはＫ'以下でセッティングされることができ、第ｋ' ＳＲＳリソースはｋ＝ｍｏｄ(ｋ'，Ｋ)であるｋ ＣＳＩ−ＲＳリソースに関連付けられることができる。他の例で、ＫはＫ'／Ｍと同一にセッティングされることができ(ここで、Ｍは上位階層シグナリングを介して予め決定／固定されたり設定されたりすることができる整数)、第ｋ' ＳＲＳリソースはｋ＝ｍｏｄ(ｋ'，Ｋ)＝ｍｏｄ(ｋ'，Ｋ'／Ｍ)であるｋ ＣＳＩ−ＲＳリソースに関連付けられることができる。他の例で、ＫはＫ'／Ｍと同一にセッティングされることができ(ここで、Ｍは上位階層シグナリングを介して予め決定／固定されたり設定されたりすることができる整数)、第ｋ' ＳＲＳリソースは第ｋ ＣＳＩ−ＲＳリソースに関連付けられることができ、ここで、
【数１】
2020516186.tif 000004
である。
【０１０５】
ＡＰ−ＣＳＩ−ＲＳ及びＡＰ−ＳＲＳの２つともが複数のリソースに設定される時(Ｋ＞１個のリソースはＣＳＩ−ＲＳに対して設定され、Ｋ'＞１個のリソースはＳＲＳに対して設定される)、構成要素Ｉの場合と類似に、ＡＰ−ＳＲＳはＡＰ−ＣＳＩ−ＲＳと同一な活性化を共有することができる。同一な活性化を共有することはＡＰ−ＣＳＩ−ＲＳに対してＫ個のリソースのＮ−サブセット選択１≦Ｎ≦Ｋ)とＡＰ−ＳＲＳに対してＫ’個のリソースのＮ’−サブセット選択１≦Ｎ’≦Ｋ’)の２つともを行うために一つのリソース活性化メッセージを用いることを指称する。このようなメッセージは(ＤＬ関連又はＵＬ関連ＤＣＩのうちのいずれか１つを用いて)ＭＡＣ ＣＥ(制御要素)又はＬ１ ＤＬ制御シグナリングを介してＵＥにシグナリングされることができる。活性化メッセージがスロット／サブフレームｎでＵＥによって受信される時、ＵＥはスロット／サブフレームｎ＋Ｄ４(Ｄ１は明示されたり上位階層シグナリングを介して設定されたりＬ１ ＤＬ制御シグナリングを介してシグナリングされることができる)から始めると仮定することができ、(活性化メッセージで)リソース選択情報に示されたＡＰ−ＣＳＩ−ＲＳリソースのＮ−サブセット及びＡＰ−ＳＲＳリソースのＮ’−サブセットが選択される。ＣＳＩ−ＲＳ及びＳＲＳリソース設定は一般的に同じではないので、活性化／非活性化メッセージは一つがＣＳＩ−ＲＳに対することで、他の一つがＳＲＳに対することである２個のリソース設定フィールドを含むことができる。
【０１０６】
以前段落の実施形態はさらにＫ＞１個のＣＳＩ−ＲＳリソースの代りにＳ＞１個のＣＳＩ−ＲＳリソースセットに適用されることができる。又はＫ'＞１個のＳＲＳリソースの代りにＳ'＞１個のＳＲＳリソースグループにも適用されることができる。
【０１０７】
以前の段落の実施形態はＮＺＰ(ｎｏｎ−ｚｅｒｏ ｐｏｗｅｒ)ＣＳＩ−ＲＳだけでなくＺＰ(ｚｅｒｏ ｐｏｗｅｒ)ＣＳＩ−ＲＳに適用されることができる。同様に、ＮＺＰ(ｎｏｎ−ｚｅｒｏ ｐｏｗｅｒ)ＳＲＳだけでなくＺＰ(ｚｅｒｏ ｐｏｗｅｒ)ＳＲＳに適用されることができる。
【０１０８】
このような共同活性化／非活性化メカニズムは構成要素Ｉに対することと類似であるので、図６に示されることもできる。
【０１０９】
ＡＰ−ＣＳＩ−ＲＳ及びＡＰ−ＳＲＳのいずれもが複数のリソースに設定されて(Ｋ＞１個のリソースはＣＳＩ−ＲＳに対して設定され、Ｋ'＞１個のリソースはＳＲＳに対して設定される)、ＡＰ−ＣＳＩ−ＲＳがＵＬ ＣＳＩ獲得のために設定される時(例えば、‘Ｆｕｎｃｔｉｏｎ'は‘ＵＬ ＣＳＩ'でセッティングされる)、ＡＰ−ＣＳＩ−ＲＳの送信は次のように行われることができる。ＡＰ−ＣＳＩ−ＲＳを含むスロット／サブフレームで、ＡＰ−ＣＳＩ−ＲＳはＡ−ＣＳＩ報告計算のためではない(ＤＬ−ＵＬチャンネル相互性によってＵＥによって)ＵＬプリコーディング計算のために用いられるのでＡ−ＣＳＩトリガリングはＯＦＦである(ＣＳＩリクエストフィールドは０とセッティングされる)。ＡＰ−ＳＲＳに係って、少なくとも次のようなオプションが用いられることができる。
【０１１０】
第１オプション(Ｏｐｔ１)で、ＡＰ−ＳＲＳ送信をトリガリングするのに用いられるＤＣＩ(ＵＬ又はＤＬ関連)には同一なＤＬスロット／サブフレームでＡＰ−ＣＳＩ−ＲＳ送信が隋伴される。したがって、ＵＥはＡＰ−ＳＲＳがトリガリングされる時(ＳＲＳトリガリングフィールドが１又はＯＮとセッティングされる時)、ＵＬ ＣＳＩ獲得のために設定されたＡＰ−ＣＳＩ−ＲＳは同一なＤＬスロット／サブフレームに存在し、ＵＥによって測定されることができると仮定することができる。
【０１１１】
このようなメカニズムの選択的特徴として、このようなＡＰ−ＳＲＳトリガーにはさらに選択されたＣＳＩ−ＲＳリソース又はリソース設定のようなＡＰ−ＣＳＩ−ＲＳ上で一部情報を搬送するＤＣＩフィールドが伴うことができる。このようなオプションの場合、このようなメカニズムでＡＰ−ＣＳＩ−ＲＳのための複数のＫ＞１個のＣＳＩ−ＲＳリソースはＵＥに対して設定されることができ、選択されたＣＳＩ−ＲＳリソースはＫ個の設定されたリソースから選択される。このような選択はＤＣＩフィールドを介して示されてシグナリングされる。
【０１１２】
選択的に、別個のＤＣＩフィールドを有する代りに、このようなＣＳＩ−ＲＳ情報はＡＰ−ＳＲＳトリガーの一部のことがある。
【０１１３】
選択的に、このようなメカニズムでＡＰ−ＣＳＩ−ＲＳのために設定されたＣＳＩ−ＲＳリソースは上位階層シグナリングを介して半静的に設定されることができる。このようなオプションの場合、このようなメカニズムでＡＰ−ＣＳＩ−ＲＳのための一つのＣＳＩ−ＲＳリソースだけがＵＥに対して設定されることができる。したがって、ＤＣＩ(Ｌ１制御シグナリング)を介してインディケーションがシグナリングされる必要がない。
【０１１４】
選択的に、このようなメカニズムでＡＰ−ＣＳＩ−ＲＳのための複数のＫ＞１個のＣＳＩ−ＲＳリソースはＵＥに対して設定されることができ、選択されたＣＳＩ−ＲＳリソース(すなわち、選択を示す状態)はＡＰ−ＳＲＳトリガリング／リクエスト状態に関連している。このような関連付けは上位階層シグナリング(例えば、ＲＲＣ)を介して半静的に又は動的に(例えば、ＭＡＣ ＣＥを介して)設定されることができる。このようなオプションの場合、このようなメカニズムでＡＰ−ＣＳＩ−ＲＳのためのＣＳＩ−ＲＳリソースの選択がＡＰ−ＳＲＳトリガリング状態又はＤＣＩフィールドコードポイント(例えば、このようなメカニズムでＡＰ−ＳＲＳのためのＳＲＳリソースの選択)と暗示的に接続(関連付け)されている。
【０１１５】
選択的に、ＵＥがこのようなメカニズムでＡＰ−ＣＳＩ−ＲＳのために複数のＫ＞１個の非ゼロパワー(ＮＺＰ)ＣＳＩ−ＲＳリソースに設定され、ＵＥがさらにＫ'＞１個のＳＲＳリソースに設定される時、ＡＰ−ＳＲＳトリガリング状態とＮＺＰ ＣＳＩ−ＲＳリソースの間の関連付けはまたあらかじめ定義された関連付け規則に基づいて決定されることができる。例えば、ＫはＫ'と同様にセッティングされることができ、第ｋ' ＳＲＳリソース(＝０，１，…，Ｋ'−１は第ｋ ＣＳＩ−ＲＳリソース(ｋ＝０，１，…，Ｋ−１)に関連付けられることができ、ここでｋ＝ｋ'である。他の例で、ＫはＫ'以下でセッティングされることができ、第ｋ' ＳＲＳリソースはｋ＝ｍｏｄ(ｋ'，Ｋ)であるｋ ＣＳＩ−ＲＳリソースに関連付けられることができる。他の例で、ＫはＫ'／Ｍと同様にセッティングされることができ(ここで、Ｍは上位階層シグナリングを介して予め決定／固定されたり設定されたりすることができる整数)、第ｋ' ＳＲＳリソースはｋ＝ｍｏｄ(ｋ'，Ｋ)＝ｍｏｄ(ｋ'，Ｋ'／Ｍ)であるｋ ＣＳＩ−ＲＳリソースに関連付けられることができる。他の例で、ＫはＫ'／Ｍと同一にセッティングされることができ(ここで、Ｍは上位階層シグナリングを介して予め決定／固定されたり設定されることができる整数)、第ｋ' ＳＲＳリソースは第ｋ ＣＳＩ−ＲＳリソースに関連付けられることができ、ここで、
【数２】
2020516186.tif 000005
である。
【０１１６】
この場合に、ＵＥによって受信されたＡＰ−ＣＳＩ−ＲＳはｇＮＢによって受信されたトリガリングされたＡＰ−ＳＲＳよりも早い。したがって、受信されたＡＰ−ＣＳＩ−ＲＳと受信されたＵＬグラント(送信ＰＭＩ及び送信ＲＩのようなＵＬプリコーディング情報を含む)間の遅延が大きくなることができる。
【０１１７】
以前段落の実施形態はさらにＫ＞１個のＣＳＩ−ＲＳリソースの代りにＳ＞１個のＣＳＩ−ＲＳリソースセットに適用されることができる。又はＫ'＞１個のＳＲＳリソースの代りにＳ'＞１個のＳＲＳリソースグループにも適用されることができる。
【０１１８】
以前の段落の実施形態はＮＺＰ(ｎｏｎ−ｚｅｒｏ ｐｏｗｅｒ)ＣＳＩ−ＲＳだけでなくＺＰ(ｚｅｒｏ ｐｏｗｅｒ)ＣＳＩ−ＲＳに適用されることができる。同様に、ＮＺＰ(ｎｏｎ−ｚｅｒｏ ｐｏｗｅｒ)ＳＲＳだけでなくＺＰ(ｚｅｒｏ ｐｏｗｅｒ)ＳＲＳに適用されることができる。
【０１１９】
図８のダイヤグラム８００はｇＮＢがＤＣＩを介してＵＥ−ｋからＡＰ−ＳＲＳをトリガリングし、同一なスロット／サブフレームでＵＬ ＣＳＩ獲得のために設定されたＡＰ−ＣＳＩ−ＲＳを送信する(８１０)Ｏｐｔ１による例示的な動作を示す。ＵＥ−ｋはＤＣＩを受信することによって、これはＡＰ−ＣＳＩ−ＲＳを測定した後(８２０)、Ａ−ＣＳＩを報告し、以後のスロット／サブフレームでＡＰ−ＳＲＳを送信する(８３０)。トリガリングされるＡＰ−ＳＲＳを用い、ｇＮＢはリンク適応及びスケジューリングを行って、ＵＬ関連ＤＣＩでＴＰＭＩ及びＴＲＩを含むＵＬグラントをＵＥ−ｋに送信する(８４０)。その後、ＵＥ−ｋはＵＬグラントを受信し(８５０)、ＰＵＳＣＨ上で承認されたＵＬ送信のために用いられたＵＬプリコーダを導出するため(初期に受信されて測定された)ＡＰ−ＣＳＩ−ＲＳと共にシグナリングされたＴＰＭＩ及びＴＲＩを用いる(８６０)。この場合に、ＡＰ−ＣＳＩ−ＲＳとＴＰＭＩ受信の間に相当な遅延(ｌａｇ)が発生する。
【０１２０】
第２オプション(Ｏｐｔ２)で、送信ＰＭＩ及びＲＩフィールドを有するＵＬグラントのために用いられるＵＬ関連ＤＣＩには同一なＤＬスロット／サブフレームでのＡＰ−ＣＳＩ−ＲＳが伴う。したがって、ＡＰ−ＳＲＳトリガリングとＡＰ−ＣＳＩ−ＲＳ受信の間にはリンクがない。すなわち、ＡＰ−ＳＲＳは別個でトリガリングされることができる。この場合に、ＵＥによって受信されたＡＰ−ＣＳＩ−ＲＳはＵＥによって測定されて同一なＤＬスロット／サブフレームで送信ＰＭＩ(ＴＰＭＩ)に示されたＵＬプリコーディング情報をリファイン(ｒｅｆｉｎｅ)できる。したがって、受信されたＴＰＭＩと受信されたＡＰ−ＣＳＩ−ＲＳのうちには遅延がない。
【０１２１】
このようなＯｐｔ２の変形で、ＴＰＭＩフィールドはプリコーダ又はプリコーダセット／グループを示すことができる。他の変形で、ＴＰＭＩはないことがある(したがって、送信ＲＩだけがＵＬ関連ＤＣＩに含み)。他の変形で、ＡＰ−ＳＲＳをトリガリングするのに用いられるＤＣＩ(ＵＬ又はＤＬ関連)がスロット／サブフレームｎで受信される時(したがって、ＡＰ−ＳＲＳはサブフレームｎ＋Ｄで送信される)、Ｏｐｔ２に対するＵＬ関連ＤＣＩはサブフレームｎ＋Ｄ＋Ｄ'で受信される(ここで、Ｄ及び／又はＤ'は明示／固定されたり設定されたりすることができる)。ここで、ｇＮＢ／ネットワークはｇＮＢ／ネットワークでのＡＰ−ＳＲＳ受信とＡＰ−ＣＳＩ−ＲＳ送信の間の遅延が充分に小さいようにＤ'の値を選択したり制御したりすることができる。
【０１２２】
図９のダイヤグラム９００はｇＮＢがＤＣＩ(ＤＬ−関連又はＵＬ−関連)を介してＵＥ−ｋからＡＰ−ＳＲＳをトリガリングする(９１０)Ｏｐｔ２による例示的な動作を示す。ＵＥ−ｋはＤＣＩを受信し(９２０)、ＡＰ−ＳＲＳを送信することによって(９３０)、ｇＮＢはＡＰ−ＳＲＳを測定し、これを(ＵＥ−ｋに関連した)ＵＬ ＣＳＩ獲得のために活用する。その後、ｇＮＢはＵＬ関連ＤＣＩにＴＰＭＩ及びＴＲＩを含むＵＬグラントをＵＥ−ｋに送信する(９４０)。同一なＤＬスロット／サブフレームで、ＵＬＣＳＩ獲得のために設定されたＡＰ−ＣＳＩ−ＲＳが送信される。ＵＥ−ｋがＵＬグラントを受信して送信されたＡＰ−ＣＳＩ−ＲＳを測定することによって(９５０)、ＵＥはＰＵＳＣＨ上で承認されたＵＬ送信を送信するためにＡＰ−ＣＳＩ−ＲＳと共に受信されたＴＰＭＩ及びＴＲＩからＵＬプリコーダを計算する(９６０)。明確に、ＡＰ−ＣＳＩ−ＲＳとＴＰＭＩ間には遅延がない。上述したように、Ａ−ＳＲＳトリガリングとＡＰ−ＣＳＩ−ＲＳ送信／割り当ての間にリンクがなければ９３０と９４０間の遅延はｇＮＢスケジューラ具現で残されることができる。本質的に、これはｇＮＢがいくら早くＡＰ−ＳＲＳを測定してＵＥ−ｋに対するＵＬグラントをスケジューリングすることができるのかによっている。
【０１２３】
上述した変形実施形態の中で任意のことは独立的に又は少なくとも一つの他の変形実施形態と共に用いられることができる。
【０１２４】
図１０は、本開示の実施形態によってＵＥがチャンネル状態情報基準信号(ＣＳＩ−ＲＳ)及びサウンディング基準信号(ＳＲＳ)に対する設定情報を受信してデコーディングする例示的な方法１０００に対するフローチャートを示す。例えば、方法１０００はＵＥ１１６によって行われることができる。
【０１２５】
方法１０００はＵＥがチャンネル状態情報基準信号(ＣＳＩ−ＲＳ)及びサウンディング基準信号(ＳＲＳ)に対する設定情報を受信及びデコーディングすることで始まる(段階１００１)。さらに、ＵＥは非周期的ＳＲＳ送信をリクエストするためのＤＣＩフィールドを含むダウンリンク制御情報(ＤＣＩ)を受信及びデコーディングする(段階１００２)。ＳＲＳは上位階層設定されたＳＲＳリソースに相応し、設定されたＳＲＳリソースの数は一つ以上である。ＵＥがＤＣＩをデコーディングした後、ＵＥはＣＳＩ−ＲＳを受信して測定することで進行することができ(段階１００３))、ここで、ＣＳＩ−ＲＳはＤＣＩと同一なダウンリンクスロットで受信される。ＣＳＩ−ＲＳは上位階層設定された非ゼロパワー(ＮＺＰ)ＣＳＩ−ＲＳリソースに相応する。ＤＣＩフィールドは設定されたＳＲＳリソースに関連した非周期的ＳＲＳトリガリング状態を含む。設定されたＮＺＰ ＣＳＩ−ＲＳリソースはＳＲＳに用いられるプリコーダを計算するために測定され、これは後で送信される(段階１００４))。設定されたＮＺＰ ＣＳＩ−ＲＳリソースの数は一つであることができる。選択的に、設定されたＮＺＰ ＣＳＩ−ＲＳリソースの数は一つ以上であり、ＳＲＳトリガリング状態と設定されたＳＲＳリソースの間の関連付けは設定されたＮＺＰ ＣＳＩ−ＲＳリソースとの関連付けをさらに含む。
【０１２６】
図１１は、ＢＳが本開示の実施形態によってＵＥ((ＵＥ−ｋとしてラベリングされる)に対してチャンネル状態情報基準信号(ＣＳＩ−ＲＳ)及びサウンディング基準信号(ＳＲＳ)に対する設定情報を生成する例示的な方法１１００に対するフローチャートを示す。例えば、方法１１００はＢＳ１０２によって行われることができる。
【０１２７】
方法１１００はＢＳが非周期的ＳＲＳ送信をリクエストするためのＤＣＩフィールドを含むダウンリンク制御情報(ＤＣＩ)だけでなくＵＥ(ＵＥ−ｋと指称する)に対するチャンネル状態情報基準信号(ＣＳＩ−ＲＳ)及びサウンディング基準信号(ＳＲＳ)に対する設定情報を生成することで始まる(段階１１０１)。その後、ＢＳは設定情報、ＣＳＩ−ＲＳ及びダウンリンク(ＤＬ)チャンネルを通じるＤＣＩをＵＥ−ｋで送信することで進行する(段階１１０２)。ＣＳＩ−ＲＳはＤＣＩと同一なダウンリンクスロットで送信され、上位階層設定されたＮＺＰ(ｎｏｎ−ｚｅｒｏ−ｐｏｗｅｒ)ＣＳＩ−ＲＳリソースに相応する。ＳＲＳは上位階層設定されたＳＲＳリソースに相応し、設定されたＳＲＳリソースの数は一つ以上である。ＤＣＩフィールドは設定されたＳＲＳリソースに関連した非周期的ＳＲＳトリガリング状態を含む。ＮＺＰ ＣＳＩ−ＲＳリソースは送信されたＳＲＳに用いられるプリコーダを計算するために測定される。設定されたＮＺＰ ＣＳＩ−ＲＳリソースの数は一つであってよい。選択的に、設定されたＮＺＰ ＣＳＩ−ＲＳリソースの数は一つ以上であり、ＳＲＳトリガリング状態と設定されたＳＲＳリソースの間の関連付けは設定されたＮＺＰ ＣＳＩ−ＲＳリソースとの関連付けをさらに含む。ＢＳはＵＥ−ｋからリクエストされた非周期的ＳＲＳを受信することで進行する(段階１１０３))。
【０１２８】
図１０及び１１は、それぞれ設定情報を受信してＵＥを設定する方法の例を示すが、図１０及び１１に対する多様な変更を行うことができる。例えば、一連の段階として示されているが、それぞれの図面での多様な段階は、重複したり、並列で発生したり、相違する手順で発生したり、複数回発生したり、一つ以上の実施形態で行われないこともある。
【０１２９】
本開示では、例示的な実施形態について説明されたが、多様な変更及び修正が通常の技術者によって提示されたり通常の技術者に提示されたりすることができる。本開示は添付された特許請求の範囲内に属するこのような変更及び修正を含むことで意図される。
【符号の説明】
【０１３０】
１００  無線ネットワーク
１０１，１０２，１０３  基地局(ＢＳ)
１１１，１１２，１１３，１１４，１１５，１１６  ユーザ装置(ＵＥ)
１２０，１２５  カバレッジ範囲
１３０  ネットワーク
３０５  アンテナ
３１０  無線周波数(ＲＦ)送受信機
３１５  送信(ＴＸ)処理回路
３２０  マイクロフォン
３２５  受信(ＲＸ)処理回路
３３０  スピーカー
３４０  プロセッサ
３４５  入出力(Ｉ／Ｏ)インターフェース
３５０  入力
３５５  ディスプレー
３６０  メモリー
３６１  ＯＳプログラム
３６２  アプリケーションプログラム
３７０ａ，３７０ｂ，３７０ｎ  アンテナ
３７２ａ，３７２ｂ，３７２ｎ  ＲＦ送受信機
３７４  ＴＸ処理回路
３７６  ＲＸ処理回路
３７８  制御機／プロセッサ
３８０  メモリー
３８２  バックホール／ネットワークインターフェース
【図１】
2020516186.tif 000006
【図２Ａ】
2020516186.tif 000007
【図２Ｂ】
2020516186.tif 000008
【図３Ａ】
2020516186.tif 000009
【図３Ｂ】
2020516186.tif 000010
【図４】
2020516186.tif 000011
【図５】
2020516186.tif 000012
【図６】
2020516186.tif 000013
【図７】
2020516186.tif 000014
【図８】
2020516186.tif 000015
【図９】
2020516186.tif 000016
【図１０】
2020516186.tif 000017
【図１１】
2020516186.tif 000018
【手続補正書】
【提出日】令和1年10月1日(2019.10.1)
【手続補正１】
【補正対象書類名】特許請求の範囲
【補正対象項目名】全文
【補正方法】変更
【補正の内容】
【特許請求の範囲】
【請求項１】
無線通信システムの端末において、
送受信部と、
基地局から複数のサウンディング基準信号（ｓｏｕｎｄｉｎｇ  ｒｅｆｅｒｅｎｃｅ  ｓｉｇｎａｌ、ＳＲＳ）リソースに相応するチャネル状態情報基準信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）リソースについての設定情報を受信し、前記基地局から前記ＣＳＩ−ＲＳを受信し、前記受信されたＳＲＳに基づいてアップリンクプリコーダ（ｕｐｌｉｎｋ  ｐｒｅｃｏｄｅｒ）を確認するように設定された、前記送受信部と使用可能なように接続された処理部と、を含む端末。
【請求項２】
前記処理部は、前記基地局から非−コードブック基盤（ｎｏｎ−ｃｏｄｅｂｏｏｋ  ｂａｓｅｄ）伝送を設定する情報をさらに受信するように設定されたことを特徴とする請求項１に記載の端末。
【請求項３】
前記処理部は、前記複数のＳＲＳリソースが非周期的ＳＲＳに該当する場合、ダウンリンク制御情報（ｄｏｗｎｌｉｎｋ  ｃｏｎｔｒｏｌ  ｉｎｆｏｒｍａｔｉｏｎ）に含まれた非周期的ＳＲＳトリガー情報をさらに受信するように設定され、
前記ＣＳＩ−ＲＳは、前記非周期的ＣＳＲＳトリガー情報に基づいて確認されることを特徴とする請求項１に記載の端末。
【請求項４】
前記ＣＳＩ−ＲＳが非周期的ＣＳＩ−ＲＳである場合、前記ダウンリンク制御情報及び前記ＣＳＩ−ＲＳは、同じスロットで受信されることを特徴とする請求項３に記載の端末。
【請求項５】
無線通信システムの基地局において、
送受信部と、
端末に複数のサウンディング基準信号（ｓｏｕｎｄｉｎｇ  ｒｅｆｅｒｅｎｃｅ  ｓｉｇｎａｌ、ＳＲＳ）リソースに相応するチャネル状態情報基準信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）リソースについての設定情報を伝送し、前記端末に前記ＣＳＩ−ＲＳを伝送し、前記端末からアップリンクプリコーダ（ｕｐｌｉｎｋ  ｐｒｅｃｏｄｅｒ）に基づいて伝送されるアップリンク信号を受信するように設定された、前記送受信部と使用可能なように接続された処理部と、を含み、
前記アップリンクプリコーダは、前記ＣＳＩ−ＲＳに基づいて確認される基地局。
【請求項６】
前記処理部は、前記端末に非−コードブック基盤（ｎｏｎ−ｃｏｄｅｂｏｏｋ  ｂａｓｅｄ）伝送を設定する情報をさらに伝送するように設定されたことを特徴とする請求項５に記載の基地局。
【請求項７】
前記処理部は、前記複数のＳＲＳリソースが非周期的ＳＲＳに該当する場合、ダウンリンク制御情報（ｄｏｗｎｌｉｎｋ  ｃｏｎｔｒｏｌ  ｉｎｆｏｒｍａｔｉｏｎ）に含まれた非周期的ＳＲＳトリガー情報をさらに伝送するように設定され、
前記ＣＳＩ−ＲＳは、前記非周期的ＣＳＲＳトリガー情報に基づいて確認されることを特徴とする請求項５に記載の基地局。
【請求項８】
前記ＣＳＩ−ＲＳが非周期的ＣＳＩ−ＲＳである場合、前記ダウンリンク制御情報及び前記ＣＳＩ−ＲＳは、同じスロットで伝送されることを特徴とする請求項７に記載の基地局。
【請求項９】
無線通信システムの端末の動作の方法において、
基地局から複数のサウンディング基準信号（ｓｏｕｎｄｉｎｇ  ｒｅｆｅｒｅｎｃｅ  ｓｉｇｎａｌ、ＳＲＳ）リソースに相応するチャネル状態情報基準信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）リソースについての設定情報を受信する段階と、
前記基地局から前記ＣＳＩ−ＲＳを受信する段階と、
前記受信されたＳＲＳに基づいてアップリンクプリコーダ（ｕｐｌｉｎｋ  ｐｒｅｃｏｄｅｒ）を確認する段階と、を含む方法。
【請求項１０】
前記基地局から非−コードブック基盤（ｎｏｎ−ｃｏｄｅｂｏｏｋ  ｂａｓｅｄ）伝送を設定する情報を受信する段階をさらに含むことを特徴とする請求項９に記載の方法。
【請求項１１】
前記複数のＳＲＳリソースが非周期的ＳＲＳに該当する場合、ダウンリンク制御情報（ｄｏｗｎｌｉｎｋ  ｃｏｎｔｒｏｌ  ｉｎｆｏｒｍａｔｉｏｎ）に含まれた非周期的ＳＲＳトリガー情報を受信する段階をさらに含み、
前記ＣＳＩ−ＲＳは、前記非周期的ＣＳＲＳトリガー情報に基づいて確認されることを特徴とする請求項９に記載の方法。
【請求項１２】
前記ＣＳＩ−ＲＳが非周期的ＣＳＩ−ＲＳである場合、前記ダウンリンク制御情報及び前記ＣＳＩ−ＲＳは、同じスロットで受信されることを特徴とする請求項１１に記載の方法。
【請求項１３】
無線通信システムの基地局の動作の方法において、
端末に複数のサウンディング基準信号（ｓｏｕｎｄｉｎｇ  ｒｅｆｅｒｅｎｃｅ  ｓｉｇｎａｌ、ＳＲＳ）リソースに相応するチャネル状態情報基準信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）リソースについての設定情報を伝送する段階と、
前記端末に前記ＣＳＩ−ＲＳを伝送する段階と、
前記端末からアップリンクプリコーダ（ｕｐｌｉｎｋ  ｐｒｅｃｏｄｅｒ）に基づいて伝送されるアップリンク信号を受信する段階と、を含み、
前記アップリンクプリコーダは、前記ＣＳＩ−ＲＳに基づいて確認される方法。
【請求項１４】
前記端末に非−コードブック基盤（ｎｏｎ−ｃｏｄｅｂｏｏｋ  ｂａｓｅｄ）伝送を設定する情報を伝送する段階をさらに含むことを特徴とする請求項１３に記載の方法。
【請求項１５】
前記複数のＳＲＳリソースが非周期的ＳＲＳに該当する場合、ダウンリンク制御情報（ｄｏｗｎｌｉｎｋ  ｃｏｎｔｒｏｌ  ｉｎｆｏｒｍａｔｉｏｎ）に含まれた非周期的ＳＲＳトリガー情報を伝送する段階をさらに含み、
前記ＣＳＩ−ＲＳは、前記非周期的ＣＳＲＳトリガー情報に基づいて確認されることを特徴とする請求項１３に記載の方法。
【請求項１６】
前記ＣＳＩ−ＲＳが非周期的ＣＳＩ−ＲＳである場合、前記ダウンリンク制御情報及び前記ＣＳＩ−ＲＳは、同じスロットで伝送されることを特徴とする請求項１５に記載の方法。
【国際調査報告】
2020516186.tif 000019
2020516186.tif 000020